(57)【要約】  本願の実施形態は、アップリンク制御チャネル伝送方法及び装置を提供する。少なくとも１つの第１フォーマットのアップリンク制御チャネル及び少なくとも１つの第２フォーマットのアップリンク制御チャネルが生成され、少なくとも１つの第１フォーマットのアップリンク制御チャネル及び少なくとも１つの第２フォーマットのアップリンク制御チャネルは第１のタイムスロット又はサブフレームにおいて伝送される。処理において、アップリンク制御チャネルについての２つのフォーマットだけがあり、その結果、アップリンクスケジューリングの複雑性が低減される。
2020503807.tif 000002
【特許請求の範囲】
【請求項１】
アップリンク制御チャネル伝送方法であって、
少なくとも１つの第１フォーマットのアップリンク制御チャネル及び少なくとも１つの第２フォーマットのアップリンク制御チャネルを生成する段階であって、前記第１フォーマットのアップリンク制御チャネルは、第１のタイムスロット又はサブフレームのＮ個のシンボルを占有し、前記第２フォーマットのアップリンク制御チャネルは、前記第１のタイムスロット又はサブフレームのＭ個のシンボルを占有し、ＮはＭより大きい又はＭに等しい、段階と、
前記第１のタイムスロット又はサブフレームに含まれる前記少なくとも１つの第１フォーマットのアップリンク制御チャネル及び前記少なくとも１つの第２フォーマットのアップリンク制御チャネルをネットワーク側デバイスに伝送する段階と
を備える方法。
【請求項２】
前記少なくとも１つの第１フォーマットのアップリンク制御チャネルのうちの少なくとも１つにより占有されるシンボルは、前記少なくとも１つの第２フォーマットのアップリンク制御チャネルのうちの少なくとも１つにより占有されるシンボルと完全に異なる又は部分的に同じである、請求項１に記載の方法。
【請求項３】
前記少なくとも１つの第１フォーマットのアップリンク制御チャネルのうちの少なくとも１つは、第１の周波数リソースを占有し、前記少なくとも１つの第２フォーマットのアップリンク制御チャネルのうちの少なくとも１つは、第２の周波数リソースを占有し、前記第１の周波数リソースは、前記第２の周波数リソースと完全に異なる又は部分的に同じである、請求項１に記載の方法。
【請求項４】
前記第１の周波数リソースは、システム周波数帯の２つの端部を占有し、前記第２の周波数リソースは、前記システム周波数帯のすべて又は一部を占有し、又は、前記第２の周波数は、前記第１の周波数リソース以外の前記システム周波数帯の一部を占有する、請求項３に記載の方法。
【請求項５】
前記第１のタイムスロット又はサブフレームは、少なくとも１つの第３フォーマットのアップリンク制御チャネルをさらに有し、
前記少なくとも１つの第３フォーマットのアップリンク制御チャネルのうちの少なくとも１つにより占有されるシンボルは、前記少なくとも１つの第１フォーマットのアップリンク制御チャネルのうちの前記少なくとも１つにより占有される前記シンボルと完全に異なる又は部分的に同じであり、又は、前記少なくとも１つの第３フォーマットのアップリンク制御チャネルのうちの少なくとも１つにより占有されるシンボルは、前記少なくとも１つの第２フォーマットのアップリンク制御チャネルのうちの前記少なくとも１つにより占有される前記シンボルと完全に異なる又は部分的に同じである、請求項１から４のいずれか一項に記載の方法。
【請求項６】
前記少なくとも１つの第１フォーマットのアップリンク制御チャネルのうちの前記少なくとも１つは、前記第１の周波数リソースを占有し、前記少なくとも１つの第２フォーマットのアップリンク制御チャネルのうちの前記少なくとも１つは、前記第２の周波数リソースを占有し、前記少なくとも１つの第３フォーマットのアップリンク制御チャネルフォーマットのうちの前記少なくとも１つの第３フォーマットのアップリンク制御チャネルは、第３の周波数リソースを占有し、前記第１の周波数リソースは、前記第２の周波数リソースと完全に異なる又は部分的に同じであり、
前記第３の周波数リソースは、前記第１の周波数リソースと完全に異なる又は部分的に同じであり、又は、前記第３の周波数リソースは、前記第２の周波数リソースと完全に異なる又は部分的に同じである、請求項５に記載の方法。
【請求項７】
前記第３の周波数は、前記システム周波数帯のすべて又は一部を占有し、又は、前記第３の周波数は、前記第１の周波数リソース及び前記第２の周波数リソース以外の前記システム周波数帯の一部を占有する、請求項６に記載の方法。
【請求項８】
前記第１フォーマットのアップリンク制御チャネル、前記第２フォーマットのアップリンク制御チャネル又は前記第３フォーマットのアップリンク制御チャネルは、周波数リソースの少なくとも２つの部分を占有し、周波数リソースの前記少なくとも２つの部分のうち、少なくとも２つは異なる、請求項５から７のいずれか一項に記載の方法。
【請求項９】
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、１つの第２フォーマットのアップリンク制御チャネルであり、
前記第１フォーマットのアップリンク制御チャネルは、前記第１のタイムスロット又はサブフレームの７個のシンボルを占有し、前記第２フォーマットのアップリンク制御チャネルは、前記第１のタイムスロット又はサブフレームの４つのシンボルを占有し、前記７個のシンボルは、前記第１のタイムスロット又はサブフレームにおいて前記４つのシンボルと完全に異なる又は部分的に同じであり、又は、
前記第１フォーマットのアップリンク制御チャネルは、前記第１のタイムスロット又はサブフレームの１０個のシンボルを占有し、前記第２フォーマットのアップリンク制御チャネルは、前記第１のタイムスロット又はサブフレームの１つのシンボルを占有し、前記１０個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの１１個のシンボルを占有し、前記第２フォーマットのアップリンク制御チャネルは、前記第１のタイムスロット又はサブフレームの１つのシンボルを占有し、前記１１個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの１３個のシンボルを占有し、前記第２フォーマットのアップリンク制御チャネルは、前記第１のタイムスロット又はサブフレームの１つのシンボルを占有し、前記１３個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの６個のシンボルを占有し、前記第２フォーマットのアップリンク制御チャネルは、前記第１のタイムスロット又はサブフレームの１つのシンボルを占有し、前記６個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの４つのシンボルを占有し、前記第２フォーマットのアップリンク制御チャネルは、前記第１のタイムスロット又はサブフレームの１つのシンボルを占有し、前記４つのシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの３つのシンボルを占有し、前記第２フォーマットのアップリンク制御チャネルは、前記第１のタイムスロット又はサブフレームの１つのシンボルを占有し、前記３つのシンボルは、前記第１のタイムスロット又はサブフレームにおいて前記１つのシンボルと完全に異なる又は部分的に同じである、請求項１又は２に記載の方法。
【請求項１０】
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、４つの第２フォーマットのアップリンク制御チャネルであり、前記第１フォーマットのアップリンク制御チャネルは、前記第１のタイムスロット又はサブフレームの７個のシンボルを占有し、前記４つの第２フォーマットのアップリンク制御チャネルのそれぞれは、前記第１のタイムスロット又はサブフレームの１つのシンボルを占有し、前記７個のシンボルは、前記第１のタイムスロット又はサブフレームにおいて前記１つのシンボルと完全に異なる又は部分的に同じであり、又は、
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、５つの第２フォーマットのアップリンク制御チャネルであり、前記第１フォーマットのアップリンク制御チャネルは、前記第１のタイムスロット又はサブフレームの７個のシンボルを占有し、前記５つの第２フォーマットのアップリンク制御チャネルのそれぞれは、前記第１のタイムスロット又はサブフレームの１つのシンボルを占有し、前記７個のシンボルは、前記第１のタイムスロット又はサブフレームにおいて前記１つのシンボルと完全に異なる又は部分的に同じである、請求項１又は２に記載の方法。
【請求項１１】
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、１つの第２フォーマットのアップリンク制御チャネルであり、前記少なくとも１つの第３フォーマットのアップリンク制御チャネルは、具体的には、１つの第３フォーマットのアップリンク制御チャネルであり、前記第１フォーマットのアップリンク制御チャネルは、前記第１のタイムスロット又はサブフレームの７個のシンボルを占有し、前記第２フォーマットのアップリンク制御チャネルは、前記第１のタイムスロット又はサブフレームの４つのシンボルを占有し、前記第３フォーマットのアップリンク制御チャネルは、前記第１のタイムスロット又はサブフレームの１つのシンボルを占有し、前記７個のシンボル、前記４つのシンボル及び前記１つのシンボルは、前記第１のタイムスロット又はサブフレームにおいて完全に異なる又は部分的に同じである、請求項５に記載の方法。
【請求項１２】
アップリンク制御チャネル伝送装置であって、
少なくとも１つの第１フォーマットのアップリンク制御チャネル及び少なくとも１つの第２フォーマットのアップリンク制御チャネルを生成するように構成される処理モジュールであって、前記第１フォーマットのアップリンク制御チャネルは、第１のタイムスロット又はサブフレームのＮ個のシンボルを占有し、前記第２フォーマットのアップリンク制御チャネルは、前記第１のタイムスロット又はサブフレームのＭ個のシンボルを占有し、ＮはＭより大きい又はＭに等しい、処理モジュールと、
前記第１のタイムスロット又はサブフレームに含まれる前記少なくとも１つの第１フォーマットのアップリンク制御チャネル及び前記少なくとも１つの第２フォーマットのアップリンク制御チャネルをネットワーク側デバイスに伝送するように構成される送受信モジュールと
を備える装置。
【請求項１３】
前記少なくとも１つの第１フォーマットのアップリンク制御チャネルのうちの少なくとも１つにより占有されるシンボルは、前記少なくとも１つの第２フォーマットのアップリンク制御チャネルのうちの少なくとも１つにより占有されるシンボルと完全に異なる又は部分的に同じである、請求項１２に記載の装置。
【請求項１４】
前記少なくとも１つの第１フォーマットのアップリンク制御チャネルのうちの少なくとも１つは、第１の周波数リソースを占有し、前記少なくとも１つの第２フォーマットのアップリンク制御チャネルのうちの少なくとも１つは、第２の周波数リソースを占有し、前記第１の周波数リソースは、前記第２の周波数リソースと完全に異なる又は部分的に同じである、請求項１２に記載の装置。
【請求項１５】
前記第１の周波数リソースは、システム周波数帯の２つの端部を占有し、前記第２の周波数リソースは、前記システム周波数帯のすべて又は一部を占有し、又は、前記第２の周波数は、前記第１の周波数リソース以外の前記システム周波数帯の一部を占有する、請求項１４に記載の装置。
【請求項１６】
前記第１のタイムスロット又はサブフレームは、少なくとも１つの第３フォーマットのアップリンク制御チャネルをさらに有し、
前記少なくとも１つの第３フォーマットのアップリンク制御チャネルのうちの少なくとも１つにより占有されるシンボルは、前記少なくとも１つの第１フォーマットのアップリンク制御チャネルのうちの前記少なくとも１つにより占有される前記シンボルと完全に異なる又は部分的に同じであり、又は、前記少なくとも１つの第３フォーマットのアップリンク制御チャネルのうちの少なくとも１つにより占有されるシンボルは、前記少なくとも１つの第２フォーマットのアップリンク制御チャネルのうちの前記少なくとも１つにより占有される前記シンボルと完全に異なる又は部分的に同じである、請求項１２から１５のいずれか一項に記載の装置。
【請求項１７】
前記少なくとも１つの第１フォーマットのアップリンク制御チャネルのうちの前記少なくとも１つは、前記第１の周波数リソースを占有し、前記少なくとも１つの第２フォーマットのアップリンク制御チャネルのうちの前記少なくとも１つは、前記第２の周波数リソースを占有し、前記少なくとも１つの第３フォーマットのアップリンク制御チャネルフォーマットのうちの前記少なくとも１つの第３フォーマットのアップリンク制御チャネルは、第３の周波数リソースを占有し、前記第１の周波数リソースは、前記第２の周波数リソースと完全に異なる又は部分的に同じであり、
前記第３の周波数リソースは、前記第１の周波数リソースと完全に異なる又は部分的に同じであり、又は、前記第３の周波数リソースは、前記第２の周波数リソースと完全に異なる又は部分的に同じである、請求項１６に記載の装置。
【請求項１８】
前記第３の周波数は、前記システム周波数帯のすべて又は一部を占有し、又は、前記第３の周波数は、前記第１の周波数リソース及び前記第２の周波数リソース以外の前記システム周波数帯の一部を占有する、請求項１７に記載の装置。
【請求項１９】
前記第１フォーマットのアップリンク制御チャネル、前記第２フォーマットのアップリンク制御チャネル又は前記第３フォーマットのアップリンク制御チャネルは、周波数リソースの少なくとも２つの部分を占有し、周波数リソースの前記少なくとも２つの部分のうち、少なくとも２つは異なる、請求項１６から１８のいずれか一項に記載の装置。
【請求項２０】
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、１つの第２フォーマットのアップリンク制御チャネルであり、
前記第１フォーマットのアップリンク制御チャネルは、前記第１のタイムスロット又はサブフレームの７個のシンボルを占有し、前記第２フォーマットのアップリンク制御チャネルは、前記第１のタイムスロット又はサブフレームの４つのシンボルを占有し、前記７個のシンボルは、前記第１のタイムスロット又はサブフレームにおいて前記４つのシンボルと完全に異なる又は部分的に同じであり、又は、
前記第１フォーマットのアップリンク制御チャネルは、前記第１のタイムスロット又はサブフレームの１０個のシンボルを占有し、前記第２フォーマットのアップリンク制御チャネルは、前記第１のタイムスロット又はサブフレームの１つのシンボルを占有し、前記１０個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの１１個のシンボルを占有し、前記第２フォーマットのアップリンク制御チャネルは、前記第１のタイムスロット又はサブフレームの１つのシンボルを占有し、前記１１個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの１３個のシンボルを占有し、前記第２フォーマットのアップリンク制御チャネルは、前記第１のタイムスロット又はサブフレームの１つのシンボルを占有し、前記１３個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの６個のシンボルを占有し、前記第２フォーマットのアップリンク制御チャネルは、前記第１のタイムスロット又はサブフレームの１つのシンボルを占有し、前記６個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの４つのシンボルを占有し、前記第２フォーマットのアップリンク制御チャネルは、前記第１のタイムスロット又はサブフレームの１つのシンボルを占有し、前記４つのシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの３つのシンボルを占有し、前記第２フォーマットのアップリンク制御チャネルは、前記第１のタイムスロット又はサブフレームの１つのシンボルを占有し、前記３つのシンボルは、前記第１のタイムスロット又はサブフレームにおいて前記１つのシンボルと完全に異なる又は部分的に同じである、請求項１２又は１３に記載の装置。
【請求項２１】
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、４つの第２フォーマットのアップリンク制御チャネルであり、前記第１フォーマットのアップリンク制御チャネルは、前記第１のタイムスロット又はサブフレームの７個のシンボルを占有し、前記４つの第２フォーマットのアップリンク制御チャネルのそれぞれは、前記第１のタイムスロット又はサブフレームの１つのシンボルを占有し、前記７個のシンボルは、前記第１のタイムスロット又はサブフレームにおいて前記１つのシンボルと完全に異なる又は部分的に同じであり、又は、
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、５つの第２フォーマットのアップリンク制御チャネルであり、前記第１フォーマットのアップリンク制御チャネルは、前記第１のタイムスロット又はサブフレームの７個のシンボルを占有し、前記５つの第２フォーマットのアップリンク制御チャネルのそれぞれは、前記第１のタイムスロット又はサブフレームの１つのシンボルを占有し、前記７個のシンボルは、前記第１のタイムスロット又はサブフレームにおいて前記１つのシンボルと完全に異なる又は部分的に同じである、請求項１６から１８のいずれか一項に記載の装置。
【請求項２２】
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、１つの第２フォーマットのアップリンク制御チャネルであり、前記少なくとも１つの第３フォーマットのアップリンク制御チャネルは、具体的には、１つの第３フォーマットのアップリンク制御チャネルであり、前記第１フォーマットのアップリンク制御チャネルは、前記第１のタイムスロット又はサブフレームの７個のシンボルを占有し、前記第２フォーマットのアップリンク制御チャネルは、前記第１のタイムスロット又はサブフレームの４つのシンボルを占有し、前記第３フォーマットのアップリンク制御チャネルは、前記第１のタイムスロット又はサブフレームの１つのシンボルを占有し、前記７個のシンボル、前記４つのシンボル及び前記１つのシンボルは、前記第１のタイムスロット又はサブフレームにおいて完全に異なる又は部分的に同じである、請求項１６に記載の装置。
【請求項２３】
アップリンク制御チャネル伝送装置であって、プロセッサと、メモリと、通信インタフェースと、システムバスとを備え、前記メモリ及び前記通信インタフェースは、相互の通信を達成するために前記システムバスを用いることにより前記プロセッサに接続され、前記メモリは、コンピュータ実行可能命令を格納するように構成され、前記通信インタフェースは、別のデバイスと通信するように構成され、前記プロセッサは、前記コンピュータ実行可能命令を実行するように構成され、その結果、前記アップリンク制御チャネル伝送装置が、前記アップリンク制御チャネル伝送装置に適用される前記方法のすべての段階を実行する、アップリンク制御チャネル伝送装置。
【請求項２４】
アップリンク制御チャネル受信方法であって、
少なくとも１つの第１フォーマットのアップリンク制御チャネル及び少なくとも１つの第２フォーマットのアップリンク制御チャネルを受信する段階であって、前記少なくとも１つの第１フォーマットのアップリンク制御チャネル及び前記少なくとも１つの第２フォーマットのアップリンク制御チャネルは、第１のタイムスロット又はサブフレームに含まれ、前記第１フォーマットのアップリンク制御チャネルは、前記第１のタイムスロット又はサブフレームのＮ個のシンボルを占有し、前記第２フォーマットのアップリンク制御チャネルは、前記第１のタイムスロット又はサブフレームのＭ個のシンボルを占有し、ＮはＭより大きい又はＭに等しい、段階を備える方法。
【請求項２５】
前記少なくとも１つの第１フォーマットのアップリンク制御チャネルのうちの少なくとも１つ、及び、前記少なくとも１つの第２フォーマットのアップリンク制御チャネルのうちの少なくとも１つは、同じ端末デバイスにより送信される、請求項２４に記載の方法。
【請求項２６】
前記少なくとも１つの第１フォーマットのアップリンク制御チャネルのうちの少なくとも１つ、及び、前記少なくとも１つの第２フォーマットのアップリンク制御チャネルのうちの少なくとも１つは、異なる端末デバイスにより送信され、
前記少なくとも１つの第１フォーマットのアップリンク制御チャネルのうちの少なくとも１つにより占有されるシンボルは、前記少なくとも１つの第２フォーマットのアップリンク制御チャネルのうちの少なくとも１つにより占有されるシンボルと完全に異なる又は部分的に同じである、請求項２４に記載の方法。
【請求項２７】
アップリンク制御チャネル受信装置であって、
少なくとも１つの第１フォーマットのアップリンク制御チャネル及び少なくとも１つの第２フォーマットのアップリンク制御チャネルを受信するように構成される受信モジュールであって、前記少なくとも１つの第１フォーマットのアップリンク制御チャネル及び前記少なくとも１つの第２フォーマットのアップリンク制御チャネルは、第１のタイムスロット又はサブフレームに含まれ、前記第１フォーマットのアップリンク制御チャネルは、前記第１のタイムスロット又はサブフレームのＮ個のシンボルを占有し、前記第２フォーマットのアップリンク制御チャネルは、前記第１のタイムスロット又はサブフレームのＭ個のシンボルを占有し、ＮはＭより大きい又はＭに等しい、受信モジュールを備える装置。
【請求項２８】
前記少なくとも１つの第１フォーマットのアップリンク制御チャネルのうちの少なくとも１つ、及び、前記少なくとも１つの第２フォーマットのアップリンク制御チャネルのうちの少なくとも１つは、同じ端末デバイスにより送信される、請求項２７に記載の装置。
【請求項２９】
前記少なくとも１つの第１フォーマットのアップリンク制御チャネルのうちの少なくとも１つ、及び、前記少なくとも１つの第２フォーマットのアップリンク制御チャネルのうちの少なくとも１つは、異なる端末デバイスにより送信され、
前記少なくとも１つの第１フォーマットのアップリンク制御チャネルのうちの少なくとも１つにより占有されるシンボルは、前記少なくとも１つの第２フォーマットのアップリンク制御チャネルのうちの少なくとも１つにより占有されるシンボルと完全に異なる又は部分的に同じである、請求項２７に記載の装置。
【発明の詳細な説明】
【技術分野】
【０００１】
本願の実施形態は、通信技術の分野、特に、アップリンク制御チャネル伝送方法及び装置に関する。
【背景技術】
【０００２】
ロングタームエボリューション（Ｌｏｎｇ  Ｔｅｒｍ  Ｅｖｏｌｕｔｉｏｎ、ＬＴＥ）通信システムにおいて、端末は、アップリンク制御チャネルを用いることによりネットワーク側デバイスにアップリンク制御情報を送信する。アップリンク制御情報は、ダウンリンクデータの肯定応答又はチャネルステータスなどをネットワーク側デバイスにフィードバックするために用いられる。アップリンク制御チャネルは、時間領域においてサブフレーム（タイムスロットとも称される）の１４個のシンボル（ｓｙｍｂｏｌ）を占有し、周波数領域におけるシステム帯域幅の２つの端部において物理リソースブロック（Ｐｈｙｓｉｃａｌ  Ｒｅｓｏｕｒｃｅ  Ｂｌｏｃｋ、ＰＲＢ）を占有する。アップリンク制御チャネルにより占有される時間−周波数リソースの組み合わせ方式は、アップリンク制御チャネルのフォーマットと称される。ＬＴＥでは、アップリンク制御チャネルのフォーマットは固定されており、ネットワーク側デバイスは、アップリンク制御チャネルのフォーマットを示すために端末にシグナリングを送信する必要がないということが前述のものから認識されることができる。
【０００３】
将来の第５世代モバイル通信（ｔｈｅ  ５ｔｈ  Ｇｅｎｅｒａｔｉｏｎ  Ｍｏｂｉｌｅ  Ｃｏｍｍｕｎｉｃａｔｉｏｎ、５Ｇ）において、アップリンク制御チャネルは、短期間のアップリンク制御（ｓｈｏｒｔ  ｄｕｒａｔｉｏｎ  ＵＬ  ｃｏｎｔｒｏｌ）チャネル及び長期間のアップリンク制御（ｌｏｎｇ  ｄｕｒａｔｉｏｎ  ＵＬ  ｃｏｎｔｒｏｌ）チャネルの２つのタイプを含む。短期間のＵＬ制御チャネルは、１つ又は２つのシンボルを占有する必要がある。さらに、５Ｇでは、アップリンク制御チャネルを保持するために用いられる様々なタイプのタイムスロット又はサブフレーム、例えば、ダウンリンク領域（ＤＬ  ｄｏｍａｉｎ）タイムスロット又はサブフレーム、アップリンク領域（ＵＬ  ｄｏｍａｉｎ）タイムスロット又はサブフレーム、アップリンク専用（ＵＬ  ｏｎｌｙ）タイムスロット又はサブフレームがある。ＤＬ領域タイムスロット又はサブフレームの最後の１つ又は２つのシンボルは、アップリンク伝送リソースであり、主に、短期間のＵＬ制御チャネルを伝送するために用いられる。ＵＬ領域タイムスロット又はサブフレームの最初の２つ又は３つのシンボルはダウンリンク伝送リソース及びギャップ（Ｇａｐ）であり、残りのシンボルはアップリンク伝送リソースである。ＵＬ専用タイムスロット又はサブフレームのすべてのシンボルはアップリンク伝送リソースである。アップリンク制御チャネルがＵＬ領域タイムスロット又はサブフレーム若しくはＵＬ専用タイムスロット又はサブフレームを用いることにより保持される場合、短期間のＵＬ制御チャネルが１つ又は２つのシンボルを占有する可能性があり、長期間のＵＬ制御チャネルが３個から１４個のシンボルを占有する可能性があり、かつ、占有されるシンボルの数が異なるので、アップリンク制御チャネルのフォーマットは異なる。さらに、同じタイプのサブフレームは異なる数のシンボルを含む。例えば、ＵＬ領域タイムスロット又はサブフレームのタイプは、７個のシンボルを占有するＵＬ領域タイムスロット又はサブフレームと、１４個のシンボルを含むＵＬ領域タイムスロット又はサブフレームとを含む。したがって、アップリンク制御チャネルが、異なるタイプのサブフレームを用いることにより保持される場合、アップリンク制御チャネルの複数のフォーマットがある。これでは、アップリンク制御チャネルのスケジューリングの複雑性が増してしまう。
【発明の概要】
【０００４】
本願の実施形態は、アップリンク制御チャネル伝送方法及び装置を提供する。アップリンク制御チャネルの２つの異なるフォーマットは、アップリンク制御チャネルのスケジューリングの複雑性を減らすために、１つのタイムスロット又はサブフレームに追加される。
【０００５】
第１態様によれば、本願の実施形態は、アップリンク制御チャネル伝送方法を提供する。方法において、少なくとも１つの第１フォーマットのアップリンク制御チャネル及び少なくとも１つの第２フォーマットのアップリンク制御チャネルは、第１のタイムスロット又はサブフレームに追加され、次に、少なくとも１つの第１フォーマットのアップリンク制御チャネル及び少なくとも１つの第２フォーマットのアップリンク制御チャネルを含む第１のタイムスロット又はサブフレームが伝送される。
【０００６】
前述の方法によれば、タイムスロット又はサブフレーム内にアップリンク制御チャネルについての２つのフォーマットだけがあり、その結果、アップリンクスケジューリングの複雑性が低減される。
【０００７】
実現可能な設計において、少なくとも１つの第１フォーマットのアップリンク制御チャネルのうちの少なくとも１つにより占有されるシンボルは、少なくとも１つの第２フォーマットのアップリンク制御チャネルのうちの少なくとも１つにより占有されるシンボルと完全に異なる又は部分的に同じである。
【０００８】
方法では、２つの異なるフォーマットにおいて、アップリンク制御チャネルにより占有される時間領域リソースの柔軟な構成が実現される。
【０００９】
実現可能な設計において、少なくとも１つの第１フォーマットのアップリンク制御チャネルのうちの少なくとも１つは、第１の周波数リソースを占有し、少なくとも１つの第２フォーマットのアップリンク制御チャネルのうちの少なくとも１つは、第２の周波数リソースを占有し、第１の周波数リソースは、第２の周波数リソースと完全に異なる又は部分的に同じである。
【００１０】
さらに、第１の周波数リソースは、システム周波数帯の２つの端部を占有し、第２の周波数リソースは、システム周波数帯のすべて又は一部を占有し、又は、第２の周波数は、第１の周波数リソース以外のシステム周波数帯の一部を占有する。
【００１１】
方法では、２つの異なるフォーマットにおいて、アップリンク制御チャネルにより占有される周波数リソースの柔軟な構成が実現される。
【００１２】
実現可能な設計において、第１のタイムスロット又はサブフレームは、少なくとも１つの第３フォーマットのアップリンク制御チャネルをさらに含み、少なくとも１つの第３フォーマットのアップリンク制御チャネルのうちの少なくとも１つにより占有されるシンボルは、少なくとも１つの第１フォーマットのアップリンク制御チャネルのうちの少なくとも１つにより占有されるシンボルと完全に異なる又は部分的に同じであり、又は、少なくとも１つの第３フォーマットのアップリンク制御チャネルのうちの少なくとも１つにより占有されるシンボルは、少なくとも１つの第２フォーマットのアップリンク制御チャネルのうちの少なくとも１つにより占有されるシンボルと完全に異なる又は部分的に同じである。
【００１３】
方法では、アップリンク制御チャネルの３つのフォーマットのみがあり、その結果、アップリンクスケジューリングの複雑性が低減され、３つの異なるフォーマットにおいて、アップリンク制御チャネルにより占有される時間領域リソースの柔軟な構成が実現される。
【００１４】
実現可能な設計において、少なくとも１つの第１フォーマットのアップリンク制御チャネルのうちの少なくとも１つは、第１の周波数リソースを占有し、少なくとも１つの第２フォーマットのアップリンク制御チャネルのうちの少なくとも１つは、第２の周波数リソースを占有し、少なくとも１つの第３フォーマットのアップリンク制御チャネルフォーマットのうちの少なくとも１つの第３フォーマットのアップリンク制御チャネルは、第３の周波数リソースを占有し、第１の周波数リソースは、第２の周波数リソースと完全に異なる又は部分的に同じであり、
第３の周波数リソースは、第１の周波数リソースと完全に異なる又は部分的に同じであり、又は、第３の周波数リソースは、第２の周波数リソースと完全に異なる又は部分的に同じである。
【００１５】
実現可能な設計において、第３の周波数は、システム周波数帯のすべて又は一部を占有し、又は、第３の周波数は、第１の周波数リソース及び第２の周波数リソース以外のシステム周波数帯の一部を占有する。
【００１６】
実現可能な設計において、第１フォーマットのアップリンク制御チャネル、第２フォーマットのアップリンク制御チャネル又は第３フォーマットのアップリンク制御チャネルは、周波数リソースの少なくとも２つの部分を占有し、周波数リソースの少なくとも２つの部分のうち、少なくとも２つは異なる。
【００１７】
方法では、周波数ダイバーシチ利得が実現される。
【００１８】
実現可能な設計において、少なくとも１つの第１フォーマットのアップリンク制御チャネルは、具体的には、１つの第１フォーマットのアップリンク制御チャネルであり、少なくとも１つの第２フォーマットのアップリンク制御チャネルは、具体的には、１つの第２フォーマットのアップリンク制御チャネルであり、第１フォーマットのアップリンク制御チャネルは、第１のタイムスロット又はサブフレームの７個のシンボルを占有し、第２フォーマットのアップリンク制御チャネルは、第１のタイムスロット又はサブフレームの４つのシンボルを占有し、７個のシンボルは、第１のタイムスロット又はサブフレームにおいて４つのシンボルと完全に異なる又は部分的に同じであり、又は、
第１フォーマットのアップリンク制御チャネルは、第１のタイムスロット又はサブフレームの１０個のシンボルを占有し、第２フォーマットのアップリンク制御チャネルは、第１のタイムスロット又はサブフレームの１つのシンボルを占有し、１０個のシンボルは、第１のタイムスロット又はサブフレームにおいて１つのシンボルと完全に異なる又は部分的に同じであり、又は、
第１フォーマットのアップリンク制御チャネルは、第１のタイムスロット又はサブフレームの１１個のシンボルを占有し、第２フォーマットのアップリンク制御チャネルは、第１のタイムスロット又はサブフレームの１つのシンボルを占有し、１１個のシンボルは、第１のタイムスロット又はサブフレームにおいて１つのシンボルと完全に異なる又は部分的に同じであり、又は、
第１フォーマットのアップリンク制御チャネルは、第１のタイムスロット又はサブフレームの１３個のシンボルを占有し、第２フォーマットのアップリンク制御チャネルは、第１のタイムスロット又はサブフレームの１つのシンボルを占有し、１３個のシンボルは、第１のタイムスロット又はサブフレームにおいて１つのシンボルと完全に異なる又は部分的に同じであり、又は、
第１フォーマットのアップリンク制御チャネルは、第１のタイムスロット又はサブフレームの６個のシンボルを占有し、第２フォーマットのアップリンク制御チャネルは、第１のタイムスロット又はサブフレームの１つのシンボルを占有し、６個のシンボルは、第１のタイムスロット又はサブフレームにおいて１つのシンボルと完全に異なる又は部分的に同じであり、又は、
第１フォーマットのアップリンク制御チャネルは、第１のタイムスロット又はサブフレームの４つのシンボルを占有し、第２フォーマットのアップリンク制御チャネルは、第１のタイムスロット又はサブフレームの１つのシンボルを占有し、４つのシンボルは、第１のタイムスロット又はサブフレームにおいて１つのシンボルと完全に異なる又は部分的に同じであり、又は、
第１フォーマットのアップリンク制御チャネルは、第１のタイムスロット又はサブフレームの３つのシンボルを占有し、第２フォーマットのアップリンク制御チャネルは、第１のタイムスロット又はサブフレームの１つのシンボルを占有し、３つのシンボルは、第１のタイムスロット又はサブフレームにおいて１つのシンボルと完全に異なる又は部分的に同じである。
【００１９】
実現可能な設計において、少なくとも１つの第１フォーマットのアップリンク制御チャネルは、具体的には、１つの第１フォーマットのアップリンク制御チャネルであり、少なくとも１つの第２フォーマットのアップリンク制御チャネルは、具体的には、４つの第２フォーマットのアップリンク制御チャネルであり、第１フォーマットのアップリンク制御チャネルは、第１のタイムスロット又はサブフレームの７個のシンボルを占有し、４つの第２フォーマットのアップリンク制御チャネルのそれぞれは、第１のタイムスロット又はサブフレームの１つのシンボルを占有し、７個のシンボルは、第１のタイムスロット又はサブフレームにおいて１つのシンボルと完全に異なる又は部分的に同じであり、又は、
少なくとも１つの第１フォーマットのアップリンク制御チャネルは、具体的には、１つの第１フォーマットのアップリンク制御チャネルであり、少なくとも１つの第２フォーマットのアップリンク制御チャネルは、具体的には、５つの第２フォーマットのアップリンク制御チャネルであり、第１フォーマットのアップリンク制御チャネルは、第１のタイムスロット又はサブフレームの７個のシンボルを占有し、５つの第２フォーマットのアップリンク制御チャネルのそれぞれは、第１のタイムスロット又はサブフレームの１つのシンボルを占有し、７個のシンボルは、第１のタイムスロット又はサブフレームにおいて１つのシンボルと完全に異なる又は部分的に同じである。
【００２０】
実現可能な設計において、少なくとも１つの第１フォーマットのアップリンク制御チャネルは、具体的には、１つの第１フォーマットのアップリンク制御チャネルであり、少なくとも１つの第２フォーマットのアップリンク制御チャネルは、具体的には、１つの第２フォーマットのアップリンク制御チャネルであり、少なくとも１つの第３フォーマットのアップリンク制御チャネルは、具体的には、１つの第３フォーマットのアップリンク制御チャネルであり、第１フォーマットのアップリンク制御チャネルは、第１のタイムスロット又はサブフレームの７個のシンボルを占有し、第２フォーマットのアップリンク制御チャネルは、第１のタイムスロット又はサブフレームの４つのシンボルを占有し、第３フォーマットのアップリンク制御チャネルは、第１のタイムスロット又はサブフレームの１つのシンボルを占有し、７個のシンボル、４つのシンボル及び１つのシンボルは、第１のタイムスロット又はサブフレームにおいて完全に異なる又は部分的に同じである。
【００２１】
第２態様によれば、本願の実施形態は、アップリンク制御チャネル伝送装置が提供され、アップリンク制御チャネル伝送装置は、少なくとも１つの第１フォーマットのアップリンク制御チャネル及び少なくとも１つの第２フォーマットのアップリンク制御チャネルを含む第１のタイムスロット又はサブフレームを生成するように構成される処理モジュールであって、第１フォーマットのアップリンク制御チャネルは、第１のタイムスロット又はサブフレームのＮ個のシンボルを占有し、第２フォーマットのアップリンク制御チャネルは、第１のタイムスロット又はサブフレームのＭ個のシンボルを占有し、ＮはＭより大きい又はＭに等しい、処理モジュールと、
第１のタイムスロット又はサブフレームを伝送するように構成される送受信モジュールと
を含む。
【００２２】
実現可能な設計において、少なくとも１つの第１フォーマットのアップリンク制御チャネルのうちの少なくとも１つにより占有されるシンボルは、少なくとも１つの第２フォーマットのアップリンク制御チャネルのうちの少なくとも１つにより占有されるシンボルと完全に異なる又は部分的に同じである。
【００２３】
実現可能な設計において、少なくとも１つの第１フォーマットのアップリンク制御チャネルのうちの少なくとも１つは、第１の周波数リソースを占有し、少なくとも１つの第２フォーマットのアップリンク制御チャネルのうちの少なくとも１つは、第２の周波数リソースを占有し、第１の周波数リソースは、第２の周波数リソースと完全に異なる又は部分的に同じである。
【００２４】
実現可能な設計において、第１の周波数リソースは、システム周波数帯の２つの端部を占有し、第２の周波数リソースは、システム周波数帯のすべて又は一部を占有し、又は、第２の周波数は、第１の周波数リソース以外のシステム周波数帯の一部を占有する。
【００２５】
実現可能な設計において、第１のタイムスロット又はサブフレームは、少なくとも１つの第３フォーマットのアップリンク制御チャネルをさらに含み、
少なくとも１つの第３フォーマットのアップリンク制御チャネルのうちの少なくとも１つにより占有されるシンボルは、少なくとも１つの第１フォーマットのアップリンク制御チャネルのうちの少なくとも１つにより占有されるシンボルと完全に異なる又は部分的に同じであり、又は、少なくとも１つの第３フォーマットのアップリンク制御チャネルのうちの少なくとも１つにより占有されるシンボルは、少なくとも１つの第２フォーマットのアップリンク制御チャネルのうちの少なくとも１つにより占有されるシンボルと完全に異なる又は部分的に同じである。
【００２６】
実現可能な設計において、少なくとも１つの第１フォーマットのアップリンク制御チャネルのうちの少なくとも１つは、第１の周波数リソースを占有し、少なくとも１つの第２フォーマットのアップリンク制御チャネルのうちの少なくとも１つは、第２の周波数リソースを占有し、少なくとも１つの第３フォーマットのアップリンク制御チャネルフォーマットのうちの少なくとも１つの第３フォーマットのアップリンク制御チャネルは、第３の周波数リソースを占有し、第１の周波数リソースは、第２の周波数リソースと完全に異なる又は部分的に同じであり、
第３の周波数リソースは、第１の周波数リソースと完全に異なる又は部分的に同じであり、又は、第３の周波数リソースは、第２の周波数リソースと完全に異なる又は部分的に同じである。
【００２７】
実現可能な設計において、第３の周波数は、システム周波数帯のすべて又は一部を占有し、又は、第３の周波数は、第１の周波数リソース及び第２の周波数リソース以外のシステム周波数帯の一部を占有する。
【００２８】
実現可能な設計において、第１フォーマットのアップリンク制御チャネル、第２フォーマットのアップリンク制御チャネル又は第３フォーマットのアップリンク制御チャネルは、周波数リソースの少なくとも２つの部分を占有し、周波数リソースの少なくとも２つの部分のうち、少なくとも２つは異なる。
【００２９】
実現可能な設計において、少なくとも１つの第１フォーマットのアップリンク制御チャネルは、具体的には、１つの第１フォーマットのアップリンク制御チャネルであり、少なくとも１つの第２フォーマットのアップリンク制御チャネルは、具体的には、１つの第２フォーマットのアップリンク制御チャネルであり、第１フォーマットのアップリンク制御チャネルは、第１のタイムスロット又はサブフレームの７個のシンボルを占有し、第２フォーマットのアップリンク制御チャネルは、第１のタイムスロット又はサブフレームの４つのシンボルを占有し、７個のシンボルは、第１のタイムスロット又はサブフレームにおいて４つのシンボルと完全に異なる又は部分的に同じであり、又は、
第１フォーマットのアップリンク制御チャネルは、第１のタイムスロット又はサブフレームの１０個のシンボルを占有し、第２フォーマットのアップリンク制御チャネルは、第１のタイムスロット又はサブフレームの１つのシンボルを占有し、１０個のシンボルは、第１のタイムスロット又はサブフレームにおいて１つのシンボルと完全に異なる又は部分的に同じであり、又は、
第１フォーマットのアップリンク制御チャネルは、第１のタイムスロット又はサブフレームの１１個のシンボルを占有し、第２フォーマットのアップリンク制御チャネルは、第１のタイムスロット又はサブフレームの１つのシンボルを占有し、１１個のシンボルは、第１のタイムスロット又はサブフレームにおいて１つのシンボルと完全に異なる又は部分的に同じであり、又は、
第１フォーマットのアップリンク制御チャネルは、第１のタイムスロット又はサブフレームの１３個のシンボルを占有し、第２フォーマットのアップリンク制御チャネルは、第１のタイムスロット又はサブフレームの１つのシンボルを占有し、１３個のシンボルは、第１のタイムスロット又はサブフレームにおいて１つのシンボルと完全に異なる又は部分的に同じであり、又は、
第１フォーマットのアップリンク制御チャネルは、第１のタイムスロット又はサブフレームの６個のシンボルを占有し、第２フォーマットのアップリンク制御チャネルは、第１のタイムスロット又はサブフレームの１つのシンボルを占有し、６個のシンボルは、第１のタイムスロット又はサブフレームにおいて１つのシンボルと完全に異なる又は部分的に同じであり、又は、
第１フォーマットのアップリンク制御チャネルは、第１のタイムスロット又はサブフレームの４つのシンボルを占有し、第２フォーマットのアップリンク制御チャネルは、第１のタイムスロット又はサブフレームの１つのシンボルを占有し、４つのシンボルは、第１のタイムスロット又はサブフレームにおいて１つのシンボルと完全に異なる又は部分的に同じであり、又は、
第１フォーマットのアップリンク制御チャネルは、第１のタイムスロット又はサブフレームの３つのシンボルを占有し、第２フォーマットのアップリンク制御チャネルは、第１のタイムスロット又はサブフレームの１つのシンボルを占有し、３つのシンボルは、第１のタイムスロット又はサブフレームにおいて１つのシンボルと完全に異なる又は部分的に同じである。
【００３０】
実現可能な設計において、少なくとも１つの第１フォーマットのアップリンク制御チャネルは、具体的には、１つの第１フォーマットのアップリンク制御チャネルであり、少なくとも１つの第２フォーマットのアップリンク制御チャネルは、具体的には、４つの第２フォーマットのアップリンク制御チャネルであり、第１フォーマットのアップリンク制御チャネルは、第１のタイムスロット又はサブフレームの７個のシンボルを占有し、４つの第２フォーマットのアップリンク制御チャネルのそれぞれは、第１のタイムスロット又はサブフレームの１つのシンボルを占有し、７個のシンボルは、第１のタイムスロット又はサブフレームにおいて１つのシンボルと完全に異なる又は部分的に同じであり、又は、
少なくとも１つの第１フォーマットのアップリンク制御チャネルは、具体的には、１つの第１フォーマットのアップリンク制御チャネルであり、少なくとも１つの第２フォーマットのアップリンク制御チャネルは、具体的には、５つの第２フォーマットのアップリンク制御チャネルであり、第１フォーマットのアップリンク制御チャネルは、第１のタイムスロット又はサブフレームの７個のシンボルを占有し、５つの第２フォーマットのアップリンク制御チャネルのそれぞれは、第１のタイムスロット又はサブフレームの１つのシンボルを占有し、７個のシンボルは、第１のタイムスロット又はサブフレームにおいて１つのシンボルと完全に異なる又は部分的に同じである。
【００３１】
実現可能な設計において、少なくとも１つの第１フォーマットのアップリンク制御チャネルは、具体的には、１つの第１フォーマットのアップリンク制御チャネルであり、少なくとも１つの第２フォーマットのアップリンク制御チャネルは、具体的には、１つの第２フォーマットのアップリンク制御チャネルであり、少なくとも１つの第３フォーマットのアップリンク制御チャネルは、具体的には、１つの第３フォーマットのアップリンク制御チャネルであり、第１フォーマットのアップリンク制御チャネルは、第１のタイムスロット又はサブフレームお７個のシンボルを占有し、第２フォーマットのアップリンク制御チャネルは、第１のタイムスロット又はサブフレームの４つのシンボルを占有し、第３フォーマットのアップリンク制御チャネルは、第１のタイムスロット又はサブフレームの１つのシンボルを占有し、７個のシンボル、４つのシンボル及び１つのシンボルは、第１のタイムスロット又はサブフレームにおいて完全に異なる又は部分的に同じである。
【００３２】
第３態様によれば、本願の実施形態は、プロセッサと、メモリと、通信インタフェースと、システムバスとを含むアップリンク制御チャネル伝送装置を提供し、メモリ及び通信インタフェースは、相互の通信を達成するためにシステムバスを用いることによりプロセッサに接続され、メモリは、コンピュータ実行可能命令を格納するように構成され、通信インタフェースは、別のデバイスと通信するように構成され、プロセッサは、コンピュータ実行可能命令を実行するように構成され、その結果、アップリンク制御チャネル伝送装置がアップリンク制御チャネル伝送装置に適用される方法のすべての段階を実行する。
【００３３】
第４態様によれば、本願の実施形態は、プロセッサと、メモリと、通信インタフェースとシステムバスとを含むアップリンク制御チャネル伝送装置を提供し、メモリ及び通信インタフェースは、相互の通信を達成するためにシステムバスを用いることによりプロセッサに接続され、メモリは、コンピュータ実行可能命令を格納するように構成され、通信インタフェースは、別のデバイスと通信するように構成され、プロセッサは、コンピュータ実行可能命令を実行するように構成され、その結果、アップリンク制御チャネル伝送装置は、アップリンク制御チャネル伝送装置に適用される方法のすべての段階を実行する。
【００３４】
第５態様によれば、本願の実施形態は、前述のアップリンク制御チャネル伝送装置により用いられるコンピュータソフトウェア命令を格納するように構成されるコンピュータ記憶媒体を提供し、コンピュータソフトウェア命令は、第１態様又は第１態様の実行可能な実装を実行するために設計されるプログラムを含む。
【００３５】
第６態様によれば、本願の実施形態は、少なくとも１つのプロセッサと、メモリと、入力／出力部分と、バスとを含むチップシステムを提供し、少なくとも１つのプロセッサは、バスを用いることによりメモリから命令を取得して、前述の方法に用いられるアップリンク制御チャネル伝送装置の設計機能を実施する。
【００３６】
第７態様によれば、本願の実施形態は、メモリとプロセッサとを含むアップリンク制御チャネル伝送装置を提供し、メモリは、プログラム命令を格納するように構成され、プロセッサは、メモリ内のプログラム命令を呼び出して、前述の方法の実施形態におけるアップリンク制御チャネル伝送装置の機能を実装するように構成される。
【００３７】
本願の実施形態において提供されるアップリンク制御チャネル伝送方法及び装置によれば、少なくとも１つの第１フォーマットのアップリンク制御チャネル及び少なくとも１つの第２フォーマットのアップリンク制御チャネルが第１のタイムスロット又はサブフレームに追加され、次に、少なくとも１つの第１フォーマットのアップリンク制御チャネル及び少なくとも１つの第２フォーマットのアップリンク制御チャネルを含む第１のタイムスロット又はサブフレームが伝送される。処理において、アップリンク制御チャネルについての２つのフォーマットだけがあり、その結果、アップリンクスケジューリングの複雑性が低減される。
【図面の簡単な説明】
【００３８】
【図１Ａ】将来５Ｇにおけるアップリンク制御チャネルを保持するために用いられるサブフレームの模式的構造図である。
【００３９】
【図１Ｂ】ＵＬ領域タイムスロット又はサブフレーム及びＵＬ専用タイムスロット又はサブフレーム内のアップリンク伝送リソースの概略図である。
【００４０】
【図２】本願に係るアップリンク制御チャネル伝送方法の実施形態１についてのフローチャートである。
【００４１】
【図３Ａ】本願に係るアップリンク制御チャネル伝送方法の実施形態２における第１フォーマットのアップリンク制御チャネル及び第２フォーマットのアップリンク制御チャネルの概略図である。
【００４２】
【図３Ｂ】本願に係るアップリンク制御チャネル伝送方法の実施形態２における第１フォーマットのアップリンク制御チャネル及び第２フォーマットのアップリンク制御チャネルの別の概略図である。
【００４３】
【図４Ａ】本願に係るアップリンク制御チャネル伝送方法の実施形態３における第１フォーマットのアップリンク制御チャネル及び第２フォーマットのアップリンク制御チャネルの概略図である。
【００４４】
【図４Ｂ】本願に係るアップリンク制御チャネル伝送方法の実施形態３における第１フォーマットのアップリンク制御チャネル及び第２フォーマットのアップリンク制御チャネルの別の概略図である。
【００４５】
【図５Ａ】本願に係るアップリンク制御チャネル伝送方法の実施形態４における第１フォーマットのアップリンク制御チャネル及び第２フォーマットのアップリンク制御チャネルの概略図である。
【００４６】
【図５Ｂ】本願に係るアップリンク制御チャネル伝送方法の実施形態４における第１フォーマットのアップリンク制御チャネル及び第２フォーマットのアップリンク制御チャネルの別の概略図である。
【００４７】
【図６Ａ】本願に係るアップリンク制御チャネル伝送方法の実施形態５における第１フォーマットのアップリンク制御チャネル及び第２フォーマットのアップリンク制御チャネルの概略図である。
【００４８】
【図６Ｂ】本願に係るアップリンク制御チャネル伝送方法の実施形態５における第１フォーマットのアップリンク制御チャネル及び第２フォーマットのアップリンク制御チャネルの別の概略図である。
【００４９】
【図７Ａ】本願に係るアップリンク制御チャネル伝送方法の実施形態６における第１フォーマットのアップリンク制御チャネル及び第２フォーマットのアップリンク制御チャネルの概略図である。
【００５０】
【図７Ｂ】本願に係るアップリンク制御チャネル伝送方法の実施形態６における第１フォーマットのアップリンク制御チャネル及び第２フォーマットのアップリンク制御チャネルの別の概略図である。
【００５１】
【図８Ａ】本願に係るアップリンク制御チャネル伝送方法の実施形態７における第１フォーマットのアップリンク制御チャネル及び第２フォーマットのアップリンク制御チャネルの概略図である。
【００５２】
【図８Ｂ】本願に係るアップリンク制御チャネル伝送方法の実施形態７における第１フォーマットのアップリンク制御チャネル及び第２フォーマットのアップリンク制御チャネルの別の概略図である。
【００５３】
【図９Ａ】本願に係るアップリンク制御チャネル伝送方法の実施形態８における第１フォーマットのアップリンク制御チャネル及び第２フォーマットのアップリンク制御チャネルの概略図である。
【００５４】
【図９Ｂ】本願に係るアップリンク制御チャネル伝送方法の実施形態８における第１フォーマットのアップリンク制御チャネル及び第２フォーマットのアップリンク制御チャネルの別の概略図である。
【００５５】
【図１０Ａ】本願に係るアップリンク制御チャネル伝送方法の実施形態９における第１フォーマットのアップリンク制御チャネル及び第２フォーマットのアップリンク制御チャネルの概略図である。
【００５６】
【図１０Ｂ】本願に係るアップリンク制御チャネル伝送方法の実施形態９における第１フォーマットのアップリンク制御チャネル及び第２フォーマットのアップリンク制御チャネルの別の概略図である。
【００５７】
【図１１Ａ】本願に係るアップリンク制御チャネル伝送方法の実施形態１０における第１フォーマットのアップリンク制御チャネル及び第２フォーマットのアップリンク制御チャネルの概略図である。
【００５８】
【図１１Ｂ】本願に係るアップリンク制御チャネル伝送方法の実施形態１０における第１フォーマットのアップリンク制御チャネル及び第２フォーマットのアップリンク制御チャネルの別の概略図である。
【００５９】
【図１２Ａ】本願に係るアップリンク制御チャネル伝送方法の実施形態１１における第１フォーマットのアップリンク制御チャネル、第２フォーマットのアップリンク制御チャネル及び第３フォーマットのアップリンク制御チャネルの概略図である。
【００６０】
【図１２Ｂ】本願に係るアップリンク制御チャネル伝送方法の実施形態１１における第１フォーマットのアップリンク制御チャネル、第２フォーマットのアップリンク制御チャネル及び第３フォーマットのアップリンク制御チャネルの別の概略図である。
【００６１】
【図１３】本願に係るアップリンク制御チャネル伝送方法の実施形態１２におけるアップリンク制御チャネルの異なるフォーマットについての概略図である。
【００６２】
【図１４】本願に係るアップリンク制御チャネル伝送方法の実施形態１３におけるアップリンク制御チャネルの異なるフォーマットについての概略図である。
【００６３】
【図１５Ａ】本願に係るアップリンク制御チャネル伝送方法の実施形態１４におけるアップリンク制御チャネルの異なるフォーマットについての概略図である。
【００６４】
【図１５Ｂ】本願に係るアップリンク制御チャネル伝送方法の実施形態１４におけるアップリンク制御チャネルの異なるフォーマットについての別の概略図である。
【００６５】
【図１６】本願に係るアップリンク制御チャネル伝送方法の実施形態１５におけるアップリンク制御チャネルの異なるフォーマットについての概略図である。
【００６６】
【図１７Ａ】本願に係るアップリンク制御チャネル伝送方法の実施形態１６におけるアップリンク制御チャネルの異なるフォーマットについての概略図である。
【００６７】
【図１７Ｂ】本願に係るアップリンク制御チャネル伝送方法の実施形態１６におけるアップリンク制御チャネルの異なるフォーマットについての別の概略図である。
【００６８】
【図１８】本願に係るアップリンク制御チャネル伝送装置の実施形態１についての模式的構造図である。
【００６９】
【図１９】本願に係るアップリンク制御チャネル伝送装置の実施形態２についての模式的構造図である。
【発明を実施するための形態】
【００７０】
図１Ａは、将来５Ｇにおけるアップリンク制御チャネルを保持するために用いられるサブフレームの模式的構造図である。図１Ａは、上から下へ順次、ＤＬ領域タイムスロット又はサブフレーム、ＵＬ領域タイムスロット又はサブフレーム及びＵＬ専用タイムスロット又はサブフレームを示す。縦線で塗りつぶされた部分はダウンリンク制御チャネルを伝送するために用いられるリソースを表し、横線で塗りつぶされた部分はダウンリンクデータチャネルを伝送するために用いられるリソースを表し、塗りつぶされていない部分は通常１つのシンボルを占有するギャップを表し、斜線で塗りつぶされた部分はアップリンク伝送リソースを表す。ＤＬ領域タイムスロット又はサブフレームの最後の１つ又は２つのシンボルは、アップリンク伝送リソースであり、短期間のＵＬ制御チャネルを伝送するために主に用いられ、ＵＬ領域タイムスロット又はサブフレームの最初の２つ又は３つのシンボルは、ダウンリンク伝送リソース及びギャップ（Ｇａｐ）であり、残りのシンボルは、アップリンク伝送リソースであり、ＵＬ専用タイムスロット又はサブフレームのすべてのシンボルはアップリンク伝送リソースであることが図１Ａから認識されることができる。
【００７１】
ＵＬ領域タイムスロット又はサブフレームは、短期間のＵＬ制御チャネル及び長期間のＵＬ制御チャネルを伝送するために用いられ得る。したがって、アップリンク制御チャネルは、ＵＬ領域タイムスロット又はサブフレームを用いることにより保持され、アップリンク制御チャネルのシンボルの数は変数である。したがって、ＵＬ領域タイムスロット又はサブフレームは、アップリンク制御チャネルの複数のフォーマットを含んでよい。同様に、ＵＬ専用タイムスロット又はサブフレームは、アップリンク制御チャネルの複数のフォーマットを含んでもよい。
【００７２】
さらに、５Ｇでは、同じタイプのサブフレームは、異なる数のシンボルを含んでよい。例えば、ＵＬ領域タイムスロット又はサブフレームは、７個のシンボルを含むＵＬ領域タイムスロット又はサブフレーム、及び、１４個のシンボルを含むＵＬ領域タイムスロット又はサブフレームであってよい。したがって、ＵＬ領域タイムスロット又はサブフレームに含まれるシンボルの数に基づいて、ＵＬ領域タイムスロット又はサブフレームは、アップリンク制御チャネルについての比較的多い数のフォーマットを含んでよい。同様に、ＵＬ専用タイムスロット又はサブフレームに含まれるシンボルの数に基づいて、ＵＬ専用タイムスロット又はサブフレームは、アップリンク制御チャネルについての比較的多い数のフォーマットを含んでよい。具体的には、図１Ｂは、ＵＬ領域タイムスロット又はサブフレーム及びＵＬ専用タイムスロット又はサブフレーム内のアップリンク伝送リソースの概略図である。
【００７３】
図１Ｂを参照すると、第１のグループは、ＵＬ専用タイムスロット又はサブフレームを含み、第２のグループは、ＵＬ領域タイムスロット又はサブフレームを含み、第３のグループもＵＬ領域タイムスロット又はサブフレームを含む。各サブフレームグループにおいて、上位部分は、７個のシンボルを含むサブフレームであり、下位部分は、１４個のシンボルを含むサブフレームである。第１のグループ内のすべてのシンボルはアップリンク伝送リソースである。第２のグループ内の最初の２つのシンボルは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）及びギャップによりそれぞれ占有されるシンボルであり、最初の２つのシンボルに続くシンボルはアップリンク伝送リソースである。第３のグループ内の最初の２つのシンボルは、ＰＤＣＣＨにより占有されるシンボルであり、３つ目のシンボルは、ギャップにより占有されるシンボルであり、残りのシンボルはアップリンク伝送リソースである。アップリンク伝送リソースは、図中に斜線で塗りつぶされた部分を用いることにより示される。
【００７４】
第２のグループが例として用いられる。ＵＬ領域タイムスロット又はサブフレームが、７個のシンボルを含むサブフレームである場合、短期間のＵＬ制御チャネルは、異なる数又は異なる位置のシンボルを占有してよく、長期間のＵＬ制御チャネルは、異なる数又は異なる位置のシンボルを占有してよい。したがって、システムは、アップリンク制御チャネルについての様々なフォーマットを含む。ＵＬ領域タイムスロット又はサブフレームが、１４個のシンボルを含むサブフレームである場合、短期間のＵＬ制御チャネルは、異なる数又は異なる位置のシンボルを占有してよく、長期間のＵＬ制御チャネルは、異なる数又は異なる位置のシンボルを占有してよい。したがって、システムはまた、アップリンク制御チャネルの様々なフォーマットを含む。
【００７５】
アップリンク制御チャネルが異なるタイプのサブフレームを用いることにより保持される場合、アップリンク制御チャネルの複数のフォーマットがあるということが前述のものから認識されることができる。これではアップリンク制御チャネルのスケジューリングの複雑性が増してしまう。
【００７６】
図２は、本願に係るアップリンク制御チャネル伝送方法の実施形態１についてのフローチャートである。方法は、以下の段階を含む。
【００７７】
１０１．少なくとも１つの第１フォーマットのアップリンク制御チャネル及び少なくとも１つの第２フォーマットのアップリンク制御チャネルを含む第１のタイムスロット又はサブフレームを生成する。
【００７８】
本願の本実施形態は、伝送装置により実行される。伝送装置は、端末に統合されてよく、アップリンク制御チャネル伝送において、様々なフォーマットでアップリンク制御チャネルを生成し、アップリンク制御チャネルをネットワーク側デバイスに伝送するように構成される。
【００７９】
本願の本実施形態において、第１のタイムスロット及び第１のサブフレームは、同じ時間領域リソースを説明するために用いられ、同じ時間領域リソースについての２つの異なる名称である。本願の実施形態では、第１のタイムスロット及びサブフレームは、ＵＬ領域タイムスロット又はサブフレーム又はＵＬ専用タイムスロット又はサブフレームを表し得ることを理解されたい。これは、具体的に限定されるものではない。
【００８０】
当該段階では、伝送装置は、第１フォーマットのアップリンク制御チャネル及び第２フォーマットのアップリンク制御チャネルを第１のタイムスロット又はサブフレームに追加し、その結果、１又は複数の第１フォーマットのアップリンク制御チャネル及び１又は複数の第２フォーマットのアップリンク制御チャネルがある。第１フォーマットのアップリンク制御チャネルは、Ｎ個のシンボルを占有し、第２フォーマットのアップリンク制御チャネルは、Ｍ個のシンボルを占有し、Ｎ≧Ｍである。例えば、第１フォーマットのアップリンク制御チャネルが長期間のＵＬ制御チャネルであり、第２フォーマットのアップリンク制御チャネルが短期間のＵＬ制御チャネルである場合、Ｎ＞Ｍである。別の例として、第１フォーマットのアップリンク制御チャネルが長期間のＵＬ制御チャネルであり、第２フォーマットのアップリンク制御チャネルも長期間のＵＬ制御チャネルである場合、Ｎ≧Ｍである。
【００８１】
本発明の本実施形態において、アップリンク制御チャネルのフォーマットは、占有されるシンボルの数を用いることにより区別されることに留意されたい。言い換えれば、異なるフォーマットにおけるアップリンク制御チャネルは、異なる数のシンボルを占有し得る。
【００８２】
１０２．第１のタイムスロット又はサブフレームを伝送する。
【００８３】
伝送装置は、少なくとも１つの第１フォーマットのアップリンク制御チャネル及び少なくとも１つの第２フォーマットのアップリンク制御チャネルを含む第１のタイムスロット又はサブフレームをネットワーク側デバイスに伝送する。
【００８４】
本願の本実施形態において提供されるアップリンク制御チャネル伝送方法によれば、少なくとも１つの第１フォーマットのアップリンク制御チャネル及び少なくとも１つの第２フォーマットのアップリンク制御チャネルが第１のタイムスロット又はサブフレームに追加され、次に、少なくとも１つの第１フォーマットのアップリンク制御チャネル及び少なくとも１つの第２フォーマットのアップリンク制御チャネルを含む第１のタイムスロット又はサブフレームが伝送される。処理において、アップリンク制御チャネルについての２つのフォーマットだけがあり、その結果、アップリンクスケジューリングの複雑性が低減される。
【００８５】
任意選択的に、時間領域リソースの観点から、本願の実施形態では、少なくとも１つの第１フォーマットのアップリンク制御チャネルのうちの少なくとも１つにより占有されるシンボルは、少なくとも１つの第２フォーマットのアップリンク制御チャネルのうちの少なくとも１つにより占有されるシンボルと完全に異なる又は部分的に同じである。
【００８６】
方法では、２つの異なるフォーマットにおいて、アップリンク制御チャネルにより占有される時間領域リソースの柔軟な構成が実現される。
【００８７】
任意選択的に、周波数領域リソースの観点から、本願の実施形態では、少なくとも１つの第１フォーマットのアップリンク制御チャネルのうちの少なくとも１つは、第１の周波数リソースを占有し、少なくとも１つの第２フォーマットのアップリンク制御チャネルのうちの少なくとも１つは、第２の周波数リソースを占有し、第１の周波数リソースは、第２の周波数リソースと完全に異なる又は部分的に同じである。
【００８８】
具体的には、周波数領域において、第１フォーマットのアップリンク制御チャネルは、第１の周波数リソースを占有し、第２フォーマットのアップリンク制御チャネルは、第２の周波数リソースを占有する。第１の周波数リソースは、第２の周波数リソースとは完全に異なっていてよく、第１の周波数リソース及び第２の周波数リソースは、同じ周波数リソースであってもよく、第１の周波数リソースと第２の周波数リソースとの間で同じ部分がある。
【００８９】
さらに、任意選択的に、第１の周波数リソースは、システム周波数帯の２つの端部を占有し、第２の周波数は、システム周波数帯のすべて又は一部を占有し、又は、第２の周波数は、第１の周波数リソース以外のシステム周波数帯の一部を占有する。
【００９０】
方法では、２つの異なるフォーマットにおいて、アップリンク制御チャネルにより占有される周波数リソースの柔軟な構成が実現される。
【００９１】
任意選択的に、伝送装置に関して、第１フォーマットのアップリンク制御チャネル及び第２フォーマットのアップリンク制御チャネルに加えて、第１のタイムスロット又はサブフレームは、少なくとも１つの第３フォーマットのアップリンク制御チャネルをさらに含んでよく、その結果、少なくとも１つの第３フォーマットのアップリンク制御チャネルが伝送される。少なくとも１つの第３フォーマットのアップリンク制御チャネルのうちの少なくとも１つにより占有されるシンボルは、少なくとも１つの第１フォーマットのアップリンク制御チャネルのうちの少なくとも１つにより占有されるシンボルと完全に異なる又は部分的に同じであり、又は、少なくとも１つの第３フォーマットのアップリンク制御チャネルのうちの少なくとも１つにより占有されるシンボルは、少なくとも１つの第２フォーマットのアップリンク制御チャネルのうちの少なくとも１つにより占有されるシンボルと完全に異なる又は部分的に同じである。
【００９２】
具体的には、第１フォーマットのアップリンク制御チャネル、第２フォーマットのアップリンク制御チャネル及び第３フォーマットのアップリンク制御チャネルは、異なる時間領域リソースをそれぞれ占有し、又は、第３フォーマットのアップリンク制御チャネルにより占有される時間領域リソースは、第１フォーマットのアップリンク制御チャネルにより占有される時間領域リソースに部分的に重なり合い、又は、第３フォーマットのアップリンク制御チャネルにより占有される時間領域リソースは、第２フォーマットのアップリンク制御チャネルにより占有される時間領域リソースに部分的に重なり合う。
【００９３】
方法では、アップリンク制御チャネルの３つのフォーマットのみがあり、その結果、アップリンクスケジューリングの複雑性が低減され、３つの異なるフォーマットにおいて、アップリンク制御チャネルにより占有される時間領域リソースの柔軟な構成が実現される。
【００９４】
さらに、任意選択的に、少なくとも１つの第１フォーマットのアップリンク制御チャネルのうちの少なくとも１つは、第１の周波数リソースを占有し、少なくとも１つの第２フォーマットのアップリンク制御チャネルのうちの少なくとも１つは、第２の周波数リソースを占有し、少なくとも１つの第３フォーマットのアップリンク制御チャネルフォーマットのうちの少なくとも１つの第３フォーマットのアップリンク制御チャネルは、第３の周波数リソースを占有する。第１の周波数リソースは、第２の周波数リソースと完全に異なる又は部分的に同じであり、第３の周波数リソースは、第１の周波数リソースと完全に異なる又は部分的に同じであり、又は、第３の周波数リソースは、第２の周波数リソースと完全に異なる又は部分的に同じである。例えば、第３の周波数は、システム周波数帯のすべて又は一部を占有し、又は、第３の周波数は、第１の周波数リソース及び第２の周波数リソース以外のシステム周波数帯の一部を占有する。
【００９５】
任意選択的に、第１フォーマットのアップリンク制御チャネル、第２フォーマットのアップリンク制御チャネル又は第３フォーマットのアップリンク制御チャネルは、周波数リソースの少なくとも２つの部分を占有し、周波数リソースの少なくとも２つの部分うち、少なくとも２つが異なる。
【００９６】
具体的には、第１フォーマットのアップリンク制御チャネル、第２フォーマットのアップリンク制御チャネル又は第３フォーマットのアップリンク制御チャネルが周波数リソースの２つの部分を占有する場合、周波数リソースの２つの部分は、異なる周波数リソースである。例えば、周波数リソースの２つの部分のうちの一方は、システム周波数帯の一端部を占有し、２つの部分の他方は、システム周波数帯の他端部を占有し、その結果、周波数ダイバーシチ利得が実現される。
【００９７】
アップリンク制御チャネル伝送方法を詳細に説明するために、以下では、１つの第１フォーマットのアップリンク制御チャネル及び１つの第２フォーマットのアップリンク制御チャネルが、第１のタイムスロット又はサブフレームに追加される例を用いる。
【００９８】
例えば、第１フォーマットのアップリンク制御チャネルは、第１のタイムスロット又はサブフレームの７個のシンボルを占有し、第２フォーマットのアップリンク制御チャネルは、第１のタイムスロット又はサブフレームの４つのシンボルを占有し、７個のシンボルは、第１のタイムスロット又はサブフレームにおいて４つのシンボルと完全に異なる又は部分的に同じである。詳細については、図３Ａ及び図３Ｂを参照されたい。図３Ａは、本願に係るアップリンク制御チャネル伝送方法の実施形態２における第１フォーマットのアップリンク制御チャネル及び第２フォーマットのアップリンク制御チャネルの概略図である。図３Ｂは、本願に係るアップリンク制御チャネル伝送方法の実施形態２における第１フォーマットのアップリンク制御チャネル及び第２フォーマットのアップリンク制御チャネルの別の概略図である。
【００９９】
図３Ａを参照すると、第１のタイムスロット又はサブフレームは、１４個のシンボルを含むＵＬ領域タイムスロット又はサブフレームである。第１のタイムスロット又はサブフレームの最初の３つのシンボルはダウンリンク伝送リソース及びギャップ（Ｇａｐ）であり、残りの１１個のシンボルはアップリンク伝送リソースである。第１のタイムスロット又はサブフレームは、１つの第１フォーマットのアップリンク制御チャネル及び１つの第２フォーマットのアップリンク制御チャネルを含む。第１フォーマットのアップリンク制御チャネルは、ギャップの後に続く７個のシンボルを占有し、第２フォーマットのアップリンク制御チャネルは、残りの４つのシンボルを占有する。この場合、第１フォーマットのアップリンク制御チャネルにより占有されるシンボルは、第２フォーマットのアップリンク制御チャネルにより占有されるシンボルとは完全に異なる。
【０１００】
図３Ｂを参照すると、第１のタイムスロット又はサブフレームは、７個のシンボルを含むＵＬ専用タイムスロット又はサブフレームであり、７個のシンボルはアップリンク伝送リソースである。第１のタイムスロット又はサブフレームは、ギャップの後に続く７個のシンボルを占有する１つの第１フォーマットのアップリンク制御チャネルと、４つのシンボルを占有する第２フォーマットのアップリンク制御チャネルとを含む。４つのシンボルは、第１フォーマットのアップリンク制御チャネルにより占有される７個のシンボルのうちの４つである。この場合、第１フォーマットのアップリンク制御チャネルにより占有されるシンボルは、第２フォーマットのアップリンク制御チャネルにより占有されるシンボルと部分的に同じである。
【０１０１】
別の例として、第１フォーマットのアップリンク制御チャネルは、第１のタイムスロット又はサブフレームの１０個のシンボルを占有し、第２フォーマットのアップリンク制御チャネルは、第１のタイムスロット又はサブフレームの１つのシンボルを占有し、１０個のシンボルは、第１のタイムスロット又はサブフレームにおいて１つのシンボルと完全に異なる又は部分的に同じである。詳細については、図４Ａ及び図４Ｂを参照されたい。図４Ａは、本願に係るアップリンク制御チャネル伝送方法の実施形態３における第１フォーマットのアップリンク制御チャネル及び第２フォーマットのアップリンク制御チャネルの概略図である。図４Ｂは、本願に係るアップリンク制御チャネル伝送方法の実施形態３における第１フォーマットのアップリンク制御チャネル及び第２フォーマットのアップリンク制御チャネルの別の概略図である。
【０１０２】
図４Ａを参照すると、第１のタイムスロット又はサブフレームは、１４個のシンボルを含むＵＬ領域タイムスロット又はサブフレームである。第１のタイムスロットの最初の３つのシンボルはダウンリンク伝送リソース及びギャップ（Ｇａｐ）であり、残りの１１個のシンボルはアップリンク伝送リソースである。第１のタイムスロット又はサブフレームは、１つの第１フォーマットのアップリンク制御チャネル及び１つの第２フォーマットのアップリンク制御チャネルを含む。第１フォーマットのアップリンク制御チャネルは、ギャップの後に続く１０個のシンボルを占有し、第２フォーマットのアップリンク制御チャネルは、残りの１つのシンボルを占有する。この場合、第１フォーマットのアップリンク制御チャネルにより占有されるシンボルは、第２フォーマットのアップリンク制御チャネルにより占有されるシンボルとは完全に異なる。
【０１０３】
図４Ｂを参照すると、ギャップの後に続く第１のシンボルは、データチャネル用に用いられ、第１フォーマットのアップリンク制御チャネルは、ギャップの後に続く第２のシンボルで開始する１０個のシンボルを占有し、第２フォーマットのアップリンク制御チャネルは、１つのシンボルを占有し、１つのシンボルは、第１フォーマットのアップリンク制御チャネルにより占有される１０個のシンボルのうちのいずれか１つである。この場合、第１フォーマットのアップリンク制御チャネルにより占有されるシンボルは、第２フォーマットのアップリンク制御チャネルにより占有されるシンボルと部分的に同じである。
【０１０４】
別の例として、第１フォーマットのアップリンク制御チャネルは、第１のタイムスロット又はサブフレームの１１個のシンボルを占有し、第２フォーマットのアップリンク制御チャネルは、第１のタイムスロット又はサブフレームの１つのシンボルを占有し、１１個のシンボルは、第１のタイムスロット又はサブフレームにおいて１つのシンボルと完全に異なる又は部分的に同じである。詳細については、図５Ａ及び図５Ｂを参照されたい。図５Ａは、本願に係るアップリンク制御チャネル伝送方法の実施形態４における第１フォーマットのアップリンク制御チャネル及び第２フォーマットのアップリンク制御チャネルの概略図である。図５Ｂは、本願に係るアップリンク制御チャネル伝送方法の実施形態４における第１フォーマットのアップリンク制御チャネル及び第２フォーマットのアップリンク制御チャネルの別の概略図である。
【０１０５】
図５Ａを参照すると、第１のタイムスロット又はサブフレームは、１４個のシンボルを含むＵＬ領域タイムスロット又はサブフレームである。第１のタイムスロット又はサブフレームの最初の２つのシンボルはダウンリンク伝送リソース及びギャップ（Ｇａｐ）であり、残りの１２個のシンボルはアップリンク伝送リソースである。第１のタイムスロット又はサブフレームは、１つの第１フォーマットのアップリンク制御チャネル及び１つの第２フォーマットのアップリンク制御チャネルを含む。第１フォーマットのアップリンク制御チャネルは、ギャップの後に続く１１個のシンボルを占有し、第２フォーマットのアップリンク制御チャネルは、残りの１つのシンボルを占有する。この場合、第１フォーマットのアップリンク制御チャネルにより占有されるシンボルは、第２フォーマットのアップリンク制御チャネルにより占有されるシンボルとは完全に異なる。
【０１０６】
図５Ｂを参照すると、第１のタイムスロット又はサブフレームは、１４個のシンボルを含むＵＬ領域タイムスロット又はサブフレームである。第１のタイムスロット又はサブフレームの最初の３つのシンボルはダウンリンク伝送リソース及びギャップ（Ｇａｐ）であり、残りの１１個のシンボルはアップリンク伝送リソースである。第１フォーマットのアップリンク制御チャネルは、ギャップの後に続く１１個のシンボルを占有し、第２フォーマットのアップリンク制御チャネルは、１つのシンボルを占有する。１つのシンボルは、第１フォーマットのアップリンク制御チャネルにより占有される１１個のシンボルのうちのいずれか１つである。この場合、第１フォーマットのアップリンク制御チャネルにより占有されるシンボルは、第２フォーマットのアップリンク制御チャネルにより占有されるシンボルと部分的に同じである。
【０１０７】
別の例として、第１フォーマットのアップリンク制御チャネルは、第１のタイムスロット又はサブフレームの１３個のシンボルを占有し、第２フォーマットのアップリンク制御チャネルは、第１のタイムスロット又はサブフレームの１つのシンボルを占有し、１３個のシンボルは、第１のタイムスロット又はサブフレームにおいて１つのシンボルと完全に異なる又は部分的に同じである。詳細については、図６Ａ及び図６Ｂを参照されたい。図６Ａは、本願に係るアップリンク制御チャネル伝送方法の実施形態５における第１フォーマットのアップリンク制御チャネル及び第２フォーマットのアップリンク制御チャネルの概略図である。図６Ｂは、本願に係るアップリンク制御チャネル伝送方法の実施形態５における第１フォーマットのアップリンク制御チャネル及び第２フォーマットのアップリンク制御チャネルの別の概略図である。
【０１０８】
図６Ａを参照すると、第１のタイムスロット又はサブフレームは、１４個のシンボルを含むＵＬ専用タイムスロット又はサブフレームであり、１４個のシンボルはアップリンク伝送リソースである。第１のタイムスロット又はサブフレームは、１つの第１フォーマットのアップリンク制御チャネル及び１つの第２フォーマットのアップリンク制御チャネルを含む。第１フォーマットのアップリンク制御チャネルは、１３個のシンボルを占有し、第２フォーマットのアップリンク制御チャネルは、残りの１つのシンボルを占有する。この場合、第１フォーマットのアップリンク制御チャネルにより占有されるシンボルは、第２フォーマットのアップリンク制御チャネルにより占有されるシンボルとは完全に異なる。
【０１０９】
図６Ｂを参照すると、第１のシンボルは、データチャネル用に用いられ、第１フォーマットのアップリンク制御チャネルは、残りの１３個のシンボルを占有し、第２フォーマットのアップリンク制御チャネルは、１つのシンボルを占有し、１つのシンボルは、第１フォーマットのアップリンク制御チャネルにより占有される１３個のシンボルのうちのいずれか１つである。この場合、第１フォーマットのアップリンク制御チャネルにより占有されるシンボルは、第２フォーマットのアップリンク制御チャネルにより占有されるシンボルと部分的に同じである。
【０１１０】
別の例として、第１フォーマットのアップリンク制御チャネルは、第１のタイムスロット又はサブフレームの６個のシンボルを占有し、第２フォーマットのアップリンク制御チャネルは、第１のタイムスロット又はサブフレームの１つのシンボルを占有し、６個のシンボルは、第１のタイムスロット又はサブフレームにおいて１つのシンボルと完全に異なる又は部分的に同じである。詳細については、図７Ａ及び図７Ｂを参照されたい。図７Ａは、本願に係るアップリンク制御チャネル伝送方法の実施形態６における第１フォーマットのアップリンク制御チャネル及び第２フォーマットのアップリンク制御チャネルの概略図である。図７Ｂは、本願に係るアップリンク制御チャネル伝送方法の実施形態６における第１フォーマットのアップリンク制御チャネル及び第２フォーマットのアップリンク制御チャネルの別の概略図である。
【０１１１】
図７Ａを参照すると、第１のタイムスロット又はサブフレームは、７個のシンボルを含むＵＬ専用タイムスロット又はサブフレームであり、７個のシンボルはアップリンク伝送リソースである。第１のタイムスロット又はサブフレームは、１つの第１フォーマットのアップリンク制御チャネル及び１つの第２フォーマットのアップリンク制御チャネルを含む。第１フォーマットのアップリンク制御チャネルは、６個のシンボルを占有し、第２フォーマットのアップリンク制御チャネルは、残りの１つのシンボルを占有する。この場合、第１フォーマットのアップリンク制御チャネルにより占有されるシンボルは、第２フォーマットのアップリンク制御チャネルにより占有されるシンボルとは完全に異なる。
【０１１２】
図７Ｂを参照すると、第１のシンボルは、データチャネル用に用いられ、第１フォーマットのアップリンク制御チャネルは、残りの６個のシンボルを占有し、第２フォーマットのアップリンク制御チャネルは、１つのシンボルを占有し、１つのシンボルは、第１フォーマットのアップリンク制御チャネルにより占有される６個のシンボルのうちのいずれか１つである。この場合、第１フォーマットのアップリンク制御チャネルにより占有されるシンボルは、第２フォーマットのアップリンク制御チャネルにより占有されるシンボルと部分的に同じである。
【０１１３】
別の例として、第１フォーマットのアップリンク制御チャネルは、第１のタイムスロット又はサブフレームの４つのシンボルを占有し、第２フォーマットのアップリンク制御チャネルは、第１のタイムスロット又はサブフレームの１つのシンボルを占有し、４つのシンボルは、第１のタイムスロット又はサブフレームにおいて１つのシンボルと完全に異なる又は部分的に同じである。詳細については、図８Ａ及び図８Ｂを参照されたい。図８Ａは、本願に係るアップリンク制御チャネル伝送方法の実施形態７における第１フォーマットのアップリンク制御チャネル及び第２フォーマットのアップリンク制御チャネルの概略図である。図８Ｂは、本願に係るアップリンク制御チャネル伝送方法の実施形態７における第１フォーマットのアップリンク制御チャネル及び第２フォーマットのアップリンク制御チャネルの別の概略図である。
【０１１４】
図８Ａを参照すると、第１のタイムスロット又はサブフレームは、７個のシンボルを含むＵＬ領域タイムスロット又はサブフレームである。第１のタイムスロットの最初の２つのシンボルはダウンリンク伝送リソース及びギャップ（Ｇａｐ）であり、残りの５つのシンボルはアップリンク伝送リソースである。第１のタイムスロット又はサブフレームは、１つの第１フォーマットのアップリンク制御チャネル及び１つの第２フォーマットのアップリンク制御チャネルを含む。第１フォーマットのアップリンク制御チャネルは、ギャップの後に続く４つのシンボルを占有し、第２フォーマットのアップリンク制御チャネルは、残りの１つのシンボルを占有する。この場合、第１フォーマットのアップリンク制御チャネルにより占有されるシンボルは、第２フォーマットのアップリンク制御チャネルにより占有されるシンボルとは完全に異なる。
【０１１５】
図８Ｂを参照すると、第１のタイムスロット又はサブフレームは、７個のシンボルを含むＵＬ領域タイムスロット又はサブフレームである。第１のタイムスロット又はサブフレームの最初の３つのシンボルはダウンリンク伝送リソース及びギャップ（Ｇａｐ）であり、残りの４つのシンボルはアップリンク伝送リソースである。第１フォーマットのアップリンク制御チャネルは、ギャップの後に続く４つのシンボルを占有し、第２フォーマットのアップリンク制御チャネルは、１つのシンボルを占有し、１つのシンボルは、第１フォーマットのアップリンク制御チャネルにより占有される４つのシンボルのうちのいずれか１つである。この場合、第１フォーマットのアップリンク制御チャネルにより占有されるシンボルは、第２フォーマットのアップリンク制御チャネルにより占有されるシンボルと部分的に同じである。
【０１１６】
別の例として、第１フォーマットのアップリンク制御チャネルは、第１のタイムスロット又はサブフレームの３つのシンボルを占有し、第２フォーマットのアップリンク制御チャネルは、第１のタイムスロット又はサブフレームの１つのシンボルを占有し、３つのシンボルは、第１のタイムスロット又はサブフレームにおいて１つのシンボルと完全に異なる又は部分的に同じである。詳細については、図９Ａ及び図９Ｂを参照されたい。図９Ａは、本願に係るアップリンク制御チャネル伝送方法の実施形態８における第１フォーマットのアップリンク制御チャネル及び第２フォーマットのアップリンク制御チャネルの概略図である。図９Ｂは、本願に係るアップリンク制御チャネル伝送方法の実施形態８における第１フォーマットのアップリンク制御チャネル及び第２フォーマットのアップリンク制御チャネルの別の概略図である。
【０１１７】
図９Ａを参照すると、第１のタイムスロット又はサブフレームは、７個のシンボルを含むＵＬ領域タイムスロット又はサブフレームである。第１のタイムスロット又はサブフレームの最初の３つのシンボルはダウンリンク伝送リソース及びギャップ（Ｇａｐ）であり、残りの４つのシンボルはアップリンク伝送リソースである。第１のタイムスロット又はサブフレームは、１つの第１フォーマットのアップリンク制御チャネル及び１つの第２フォーマットのアップリンク制御チャネルを含む。第１フォーマットのアップリンク制御チャネルは、ギャップの後に続く３つのシンボルを占有し、第２フォーマットのアップリンク制御チャネルは、残りの１つのシンボルを占有する。この場合、第１フォーマットのアップリンク制御チャネルにより占有されるシンボルは、第２フォーマットのアップリンク制御チャネルにより占有されるシンボルとは完全に異なる。
【０１１８】
図９Ｂを参照すると、ギャップの後に続く第１のシンボルは、データチャネル用に用いられ、第１フォーマットのアップリンク制御チャネルは、ギャップの後に続く残りの３つのシンボルを占有し、第２フォーマットのアップリンク制御チャネルは、１つのシンボルを占有し、１つのシンボルは、第１フォーマットのアップリンク制御チャネルにより占有される３つのシンボルのうちのいずれか１つである。この場合、第１フォーマットのアップリンク制御チャネルにより占有されるシンボルは、第２フォーマットのアップリンク制御チャネルにより占有されるシンボルと部分的に同じである。
【０１１９】
方法では、２つの異なるフォーマットにおいて、アップリンク制御チャネルにより占有される時間領域リソースの柔軟な構成が実現される。
【０１２０】
アップリンク制御チャネル伝送方法を詳細に説明するために、以下では、１つの第１フォーマットのアップリンク制御チャネル及び複数の第２フォーマットのアップリンク制御チャネルが第１のタイムスロット又はサブフレームに追加される例を用いる。
【０１２１】
例えば、少なくとも１つの第１フォーマットのアップリンク制御チャネルは、具体的には、１つの第１フォーマットのアップリンク制御チャネルであり、少なくとも１つの第２フォーマットのアップリンク制御チャネルは、具体的には、４つの第２フォーマットのアップリンク制御チャネルであり、第１フォーマットのアップリンク制御チャネルは、第１のタイムスロット又はサブフレームの７個のシンボルを占有し、４つの第２フォーマットのアップリンク制御チャネルのそれぞれは、第１のタイムスロット又はサブフレームの１つのシンボルを占有し、７個のシンボルは、第１のタイムスロット又はサブフレームにおいて１つのシンボルと完全に異なる又は部分的に同じである。詳細については、図１０Ａ及び図１０Ｂを参照されたい。図１０Ａは、本願に係るアップリンク制御チャネル伝送方法の実施形態９における第１フォーマットのアップリンク制御チャネル及び第２フォーマットのアップリンク制御チャネルの概略図である。図１０Ｂは、本願に係るアップリンク制御チャネル伝送方法の実施形態９における第１フォーマットのアップリンク制御チャネル及び第２フォーマットのアップリンク制御チャネルの別の概略図である。
【０１２２】
図１０Ａを参照すると、第１のタイムスロット又はサブフレームは、１４個のシンボルを含むＵＬ領域タイムスロット又はサブフレームである。第１のタイムスロットの最初の３つのシンボルはダウンリンク伝送リソース及びギャップ（Ｇａｐ）であり、残りの１１個のシンボルはアップリンク伝送リソースである。第１のタイムスロット又はサブフレームは、１つの第１フォーマットのアップリンク制御チャネル及び４つの第２フォーマットのアップリンク制御チャネルを含む。第１フォーマットのアップリンク制御チャネルは、ギャップの後に続く７個のシンボルを占有し、４つの第２フォーマットのアップリンク制御チャネルは、残りの４つのシンボルを連続的に占有する。 この場合、第１フォーマットのアップリンク制御チャネルにより占有されるシンボルは、第２フォーマットのアップリンク制御チャネルにより占有されるシンボルとは完全に異なる。
【０１２３】
図１０Ｂを参照すると、ギャップの後に続く第１のシンボルは、データチャネル用に用いられる。第１フォーマットのアップリンク制御チャネルは、ギャップの後に続く７個のシンボル及びデータチャネルを占有し、４つの第２フォーマットのアップリンク制御チャネルのうちの３つが、残りの３つのシンボルを連続的に占有し、他の１つの第２フォーマットのアップリンク制御チャネルが、１つのシンボルを占有し、１つのシンボルは、第１フォーマットのアップリンク制御チャネルにより占有される７個のシンボルのうちのいずれか１つである。この場合、第１フォーマットのアップリンク制御チャネルにより占有されるシンボルは、第２フォーマットのアップリンク制御チャネルにより占有されるシンボルと部分的に同じである。
【０１２４】
別の例として、少なくとも１つの第１フォーマットのアップリンク制御チャネルは、具体的には、１つの第１フォーマットのアップリンク制御チャネルであり、少なくとも１つの第２フォーマットのアップリンク制御チャネルは、具体的には、５つの第２フォーマットのアップリンク制御チャネルであり、第１フォーマットのアップリンク制御チャネルは、第１のタイムスロット又はサブフレームの７個のシンボルを占有し、５つの第２フォーマットのアップリンク制御チャネルのそれぞれは、第１のタイムスロット又はサブフレームの１つのシンボルを占有し、７個のシンボルは、第１のタイムスロット又はサブフレームにおいて１つのシンボルと完全に異なる又は部分的に同じである。詳細については、図１１Ａ及び図１１Ｂを参照されたい。図１１Ａは、本願に係るアップリンク制御チャネル伝送方法の実施形態１０における第１フォーマットのアップリンク制御チャネル及び第２フォーマットのアップリンク制御チャネルの概略図である。図１１Ｂは、本願に係るアップリンク制御チャネル伝送方法の実施形態１０における第１フォーマットのアップリンク制御チャネル及び第２フォーマットのアップリンク制御チャネルの別の概略図である。
【０１２５】
図１１Ａを参照すると、第１のタイムスロット又はサブフレームは、１４個のシンボルを含むＵＬ領域タイムスロット又はサブフレームである。第１のタイムスロット又はサブフレームの最初の２つのシンボルはダウンリンク伝送リソース及びギャップ（Ｇａｐ）であり、残りの１２個のシンボルはアップリンク伝送リソースである。第１のタイムスロット又はサブフレームは、１つの第１フォーマットのアップリンク制御チャネル及び５つの第２フォーマットのアップリンク制御チャネルを含む。第１フォーマットのアップリンク制御チャネルは、ギャップの後に続く７個のシンボルを占有し、５つの第２フォーマットのアップリンク制御チャネルは、残りの５つのシンボルを連続的に占有する。この場合、第１フォーマットのアップリンク制御チャネルにより占有されるシンボルは、第２フォーマットのアップリンク制御チャネルにより占有されるシンボルとは完全に異なる。
【０１２６】
図１１Ｂを参照すると、ギャップの後に続く第１のシンボル及び第２のシンボルは、データチャネル用に用いられる。第１フォーマットのアップリンク制御チャネルは、データチャネルの後に続く７個のシンボルを占有し、５つの第２フォーマットのアップリンク制御チャネルのうちの３つは、残りの３つのシンボルを連続的に占有し、他の２つの第２フォーマットのアップリンク制御チャネルのそれぞれにより占有される１つのシンボルは、第１フォーマットのアップリンク制御チャネルにより占有される７個のシンボルのうちのいずれか１つである。この場合、第１フォーマットのアップリンク制御チャネルにより占有されるシンボルは、第２フォーマットのアップリンク制御チャネルにより占有されるシンボルと部分的に同じである。
【０１２７】
アップリンク制御チャネル伝送方法を詳細に説明するために、以下では、１つの第１フォーマットのアップリンク制御チャネル、１つの第２フォーマットのアップリンク制御チャネル及び１つの第３フォーマットのアップリンク制御チャネルが第１のタイムスロット又はサブフレームに追加される例を用いる。
【０１２８】
例えば、第１フォーマットのアップリンク制御チャネルは、第１のタイムスロット又はサブフレームの７個のシンボルを占有し、第２フォーマットのアップリンク制御チャネルは、第１のタイムスロット又はサブフレームの４つのシンボルを占有し、第３フォーマットのアップリンク制御チャネルは、第１のタイムスロット又はサブフレームの１つのシンボルを占有し、７個のシンボル、４つのシンボル及び１つのシンボルは、第１のタイムスロット又はサブフレームにおいて完全に異なる又は部分的に同じである。詳細については、図１２Ａ及び図１２Ｂを参照されたい。図１２Ａは、本願に係るアップリンク制御チャネル伝送方法の実施形態１１における第１フォーマットのアップリンク制御チャネル、第２フォーマットのアップリンク制御チャネル及び第３フォーマットのアップリンク制御チャネルの概略図である。図１２Ｂは、本願に係るアップリンク制御チャネル伝送方法の実施形態１１における第１フォーマットのアップリンク制御チャネル、第２フォーマットのアップリンク制御チャネル及び第３フォーマットのアップリンク制御チャネルの別の概略図である。
【０１２９】
図１２Ａを参照すると、第１のタイムスロット又はサブフレームは、１４個のシンボルを含むＵＬ領域タイムスロット又はサブフレームである。第１のタイムスロットの最初の２つのシンボルはダウンリンク伝送リソース及びギャップ（Ｇａｐ）であり、残りの１２個のシンボルはアップリンク伝送リソースである。第１のタイムスロット又はサブフレームは、１つの第１フォーマットのアップリンク制御チャネル、１つの第２フォーマットのアップリンク制御チャネル及び１つの第３フォーマットのアップリンク制御チャネルを含む。第１フォーマットのアップリンク制御チャネルは、ギャップの後に続く７個のシンボルを占有し、第２フォーマットのアップリンク制御チャネルは、残りの５つのシンボルのうちの４つを占有し、第３フォーマットのアップリンク制御チャネルは、最後の１つのシンボルを占有する。この場合、第１フォーマットのアップリンク制御チャネル、第２フォーマットのアップリンク制御チャネル及び第３フォーマットのアップリンク制御チャネルにより占有されるシンボルは完全に異なる。
【０１３０】
図１２Ｂを参照すると、ギャップの後に続く２つのシンボルは、データチャネル用に用いられる。第１フォーマットのアップリンク制御チャネルは、データチャネルの後に続く７個のシンボルを占有し、第２フォーマットのアップリンク制御チャネルは、４つのシンボルを占有し、４つのシンボルのうち２つは、第１フォーマットのアップリンク制御チャネルにより占有されるシンボルに重なり合い、第３フォーマットのアップリンク制御チャネルは、最後のシンボルを占有する。この場合、第１フォーマットのアップリンク制御チャネル、第２フォーマットのアップリンク制御チャネル及び第３フォーマットのアップリンク制御チャネルにより占有されるシンボルは部分的に同じである。
【０１３１】
アップリンク制御チャネル伝送を詳細に説明するために、以下では、第１のタイムスロット又はサブフレームが７個のシンボル又は１４個のシンボルを含み、アップリンク制御チャネルが、１つのシンボル、２つのシンボル、４つのシンボル、７個のシンボル又は１４個のシンボルを占有する例を用いる。詳細については、図１３、図１４、図１５Ａ、図１５Ｂ、図１６、図１７Ａ及び図１７Ｂを参照されたい。
【０１３２】
図１３は、本願に係るアップリンク制御チャネル伝送方法の実施形態１２におけるアップリンク制御チャネルの異なるフォーマットについての概略図である。図１３を参照すると、周波数分割多重化がアップリンク制御チャネル及びアップリンクデータ（ＵＬ  ｄａｔａ）チャネルに用いられ、その結果、複数のＵＥは、周波数ダイバーシチを用いることにより、アップリンク制御チャネルの同じフォーマットを用いる。
【０１３３】
（ａ）において、第１のタイムスロット又はサブフレームは、１４個のシンボルを含み、１４個のシンボルを占有する１つの第１フォーマットのアップリンク制御チャネルを含んでもよい、すなわち、１つの長期間のＵＬ制御チャネルを含んでもよい。第１フォーマットのアップリンク制御チャネルは、ＵＥ１及びＵＥ２により占有されてよく、ＵＥ１及びＵＥ２は、周波数ダイバーシチを用いることにより異なる時間領域において異なる周波数領域リソースを用いる。例えば、１４個のシンボルは、２つの部分へと均等に分割される。最初の７個のシンボルにおいて、ＵＥ１及びＵＥ２は、システム帯域幅の２つの端部をそれぞれ占有する。次の７個のシンボルにおいて、ＵＥ１により以前に占有されていた周波数領域リソースは、ＵＥ２により占有され、ＵＥ２により以前に占有されていた周波数領域リソースは、ＵＥ１により占有される。
【０１３４】
（ｂ）において、第１のタイムスロット又はサブフレームは１４個のシンボルを含む。第１のタイムスロット又はサブフレームは、１３個のシンボルを占有する１つの第１フォーマットのアップリンク制御チャネルと、１つのシンボルを占有する１つの第２フォーマットのアップリンク制御チャネルとを含む。第１フォーマットのアップリンク制御チャネルは長期間のＵＬ制御チャネルであり、第２フォーマットのアップリンク制御チャネルは短期間のＵＬ制御チャネルである。第１フォーマットのアップリンク制御チャネルは、ＵＥ１及びＵＥ２により占有されてよく、ＵＥ１及びＵＥ２は、周波数ダイバーシチを用いることにより異なる時間領域において異なる周波数領域リソースを用いる。第２フォーマットのアップリンク制御チャネルは、複数のＵＥにより用いられてもよい。
【０１３５】
（ｃ）において、第１のタイムスロット又はサブフレームは７個のシンボルを含む。第１のタイムスロット又はサブフレームは、７個のシンボルを占有する１つの第１フォーマットのアップリンク制御チャネルを含む。言い換えれば、第１のタイムスロット又はサブフレームは１つの長期間のＵＬ制御チャネルを含む。第１フォーマットのアップリンク制御チャネルは、ＵＥ１及びＵＥ２により占有されてよく、ＵＥ１及びＵＥ２は、周波数ダイバーシチを用いることにより異なる時間領域において異なる周波数領域リソースを用いる。例えば、７個のシンボルは、２つの部分へと分割される。最初の３つのシンボルにおいて、ＵＥ１及びＵＥ２は、システム帯域幅の２つの端部をそれぞれ占有する。次の４つのシンボルにおいて、ＵＥ１により以前に占有されていた周波数領域リソースは、ＵＥ２により占有され、ＵＥ２により以前に占有されていた周波数領域リソースは、ＵＥ１により占有される。さらに、別の周波数ダイバーシチ解決策が用いられてよい。（ｄ）に示されるように、例えば、ＵＥ１及びＵＥ２は、ある間隔で送信を実行するために、１つのシンボルを別々に占有する。別の例として、周波数ダイバーシチ解決策が用いられない。（ｅ）に示されるように、例えば、ＵＥ１及びＵＥ２は、送信を実行するために、周波数帯の２つの端部をそれぞれ占有する。
【０１３６】
（ｆ）において、第１のタイムスロット又はサブフレームは７個のシンボルを含む。第１のタイムスロット又はサブフレームは、６個のシンボルを占有する１つの第１フォーマットのアップリンク制御チャネルと、１つのシンボルを占有する１つの第２フォーマットのアップリンク制御チャネルとを含む。第１フォーマットのアップリンク制御チャネルは長期間のＵＬ制御チャネルであり、第２フォーマットのアップリンク制御チャネルは短期間のＵＬ制御チャネルである。第１フォーマットのアップリンク制御チャネルは、ＵＥ１及びＵＥ２により占有されてよく、ＵＥ１及びＵＥ２は、周波数ダイバーシチを用いることにより異なる時間領域において異なる周波数領域リソースを用いる。例えば、６個のシンボルは、２つの部分へと均等に分割される。最初の３つのシンボルにおいて、ＵＥ１及びＵＥ２は、システム帯域幅の２つの端部をそれぞれ占有する。次の３つのシンボルにおいて、ＵＥ１により以前に占有されていた周波数領域リソースは、ＵＥ２により占有され、ＵＥ２により以前に占有されていた周波数領域リソースは、ＵＥ１により占有される。別の例として、ＵＥ１及びＵＥ２は、（ｇ）に示されるように、ある間隔で送信を実行するために、１つのシンボルを別々に占有する。別の例として、周波数ダイバーシチ解決策が用いられない。（ｈ）に示されるように、例えば、ＵＥ１及びＵＥ２は、送信を実行するために、周波数帯の２つの端部をそれぞれ占有する。第２フォーマットのアップリンク制御チャネルは、複数のＵＥにより用いられてもよい。
【０１３７】
図１４は、本願に係るアップリンク制御チャネル伝送方法の実施形態１３におけるアップリンク制御チャネルの異なるフォーマットについての概略図である。
【０１３８】
（ａ）において、第１のタイムスロット又はサブフレームは１４個のシンボルを含む。最初の３つのシンボルはダウンリンク伝送リソース及びギャップ（Ｇａｐ）であり、残りの１１個のシンボルはアップリンク伝送リソースである。第１のタイムスロット又はサブフレームは、７個のシンボルを占有する１つの第１フォーマットのアップリンク制御チャネルと、４つのシンボルを占有する１つの第２フォーマットのアップリンク制御チャネルとを含む。第１フォーマットのアップリンク制御チャネル及び第２フォーマットのアップリンク制御チャネルの両方が長期間のＵＬ制御チャネルである。第１フォーマットのアップリンク制御チャネルは、ＵＥ１及びＵＥ２により用いられてよく、ＵＥ１及びＵＥ２は、周波数ダイバーシチを用いることにより異なる時間領域において異なる周波数領域リソースを用いる。第２フォーマットのアップリンク制御チャネルは、ＵＥ３及びＵＥ４により用いられてよく、ＵＥ３及びＵＥ４は、周波数ダイバーシチを用いることにより異なる時間領域において異なる周波数領域リソースを用いる。さらに、ＵＥ３及びＵＥ４により占有されるアップリンク伝送リソース、すなわち、第２フォーマットのアップリンク制御チャネルにより占有されるシンボルは、ＵＥ１及びＵＥ２により再使用されてよく、その結果、ＵＥ１及びＵＥ２のアップリンク制御チャネルは、１１個のシンボルを占有してよい。
【０１３９】
（ｂ）において、第１のタイムスロット又はサブフレームは１４個のシンボルを含み、最初の３つのシンボルはダウンリンク伝送リソース及びギャップ（Ｇａｐ）であり、残りの１１個のシンボルはアップリンク伝送リソースである。第１のタイムスロット又はサブフレームは、７個のシンボルを占有する１つの第１フォーマットのアップリンク制御チャネルと、それぞれ１つのシンボルを占有する４つの第２フォーマットのアップリンク制御チャネルとを含む。第１フォーマットのアップリンク制御チャネルは長期間のＵＬ制御チャネルであり、第２フォーマットのアップリンク制御チャネルは短期間のＵＬ制御チャネルである。第１フォーマットのアップリンク制御チャネルは、ＵＥ１及びＵＥ２により用いられてよく、ＵＥ１及びＵＥ２は、周波数ダイバーシチを用いることにより異なる時間領域において異なる周波数領域リソースを用いる。詳細については、図１３の（ｃ）、（ｄ）及び（ｅ）を参照されたい。
【０１４０】
（ｂ）において、最後の４つのシンボルが４つの短期間のＵＬ制御チャネルに対応しているが、本願の本実施形態は、これに限定されるものではない。別の実行可能な実装において、例えば、最後の４つのシンボルは、それぞれが２つのシンボルを占有する２つの短期間のＵＬ制御チャネルを含む。別の例として、最後の４つのシンボルは、２つのシンボルを占有する１つの短期間のＵＬ制御チャネルと、それぞれが１つのシンボルを占有する２つの短期間のＵＬ制御チャネルを含み、配置順序は柔軟に設定されよい。
【０１４１】
（ｃ）において、第１のタイムスロット又はサブフレームは１４個のシンボルを含み、最初の３つのシンボルはダウンリンク伝送リソース及びギャップ（Ｇａｐ）であり、残りの１１個のシンボルはアップリンク伝送リソースである。第１のタイムスロット又はサブフレームは、１０個のシンボルを占有する１つの第１フォーマットのアップリンク制御チャネルと、１つのシンボルを占有する１つの第２フォーマットのアップリンク制御チャネルとを含む。第１フォーマットのアップリンク制御チャネルは長期間のＵＬ制御チャネルであり、第２フォーマットのアップリンク制御チャネルは短期間のＵＬ制御チャネルである。第１フォーマットのアップリンク制御チャネルは、ＵＥ１及びＵＥ２により用いられてよく、ＵＥ１及びＵＥ２は、周波数ダイバーシチを用いることにより異なる時間領域において異なる周波数領域リソースを用いる。第１フォーマットのアップリンク制御チャネルにより占有されるシンボルは、第２フォーマットのアップリンク制御チャネルにより占有されるシンボルとは完全に異なる。
【０１４２】
（ｄ）において、第１のタイムスロット又はサブフレームは１４個のシンボルを含み、最初の３つのシンボルはダウンリンク伝送リソース及びギャップ（Ｇａｐ）であり、残りの１１個のシンボルはアップリンク伝送リソースである。第１のタイムスロット又はサブフレームは、１１個のシンボルを占有する１つの第１フォーマットのアップリンク制御チャネルと、１つのシンボルを占有する１つの第２フォーマットのアップリンク制御チャネルとを含む。第１フォーマットのアップリンク制御チャネルは長期間のＵＬ制御チャネルであり、第２フォーマットのアップリンク制御チャネルは短期間のＵＬ制御チャネルである。第１フォーマットのアップリンク制御チャネルは、ＵＥ１及びＵＥ２により用いられてよく、ＵＥ１及びＵＥ２は、周波数ダイバーシチを用いることにより異なる時間領域において異なる周波数領域リソースを用いる。第２フォーマットのアップリンク制御チャネルにより占有される１つのシンボルは、第１フォーマットのアップリンク制御チャネルにより占有される１１個のシンボルのうちの最後のシンボルである。言い換えれば、第１フォーマットのアップリンク制御チャネルにより占有されるシンボルは、第２フォーマットのアップリンク制御チャネルにより占有されるシンボルと部分的に同じである。
【０１４３】
図１４Ａの（ｂ）、（ｃ）及び（ｄ）では、異なるフォーマットにおけるアップリンク制御チャネルが同じ周波数リソースを占有するが、本願の本実施形態は、これに限定されるものではないことに留意されたい。別の実行可能な実装において、異なるフォーマットおけるアップリンク制御チャネルにより占有される周波数は、完全に異なる又は部分的に同じである。
【０１４４】
図１５Ａは、本願に係るアップリンク制御チャネル伝送方法の実施形態１４におけるアップリンク制御チャネルの異なるフォーマットについての概略図である。
【０１４５】
（ａ）において、第１のタイムスロット又はサブフレームは１４個のシンボルを含む。最初の２つのシンボルはダウンリンク伝送リソース及びギャップ（Ｇａｐ）であり、残りの１２個のシンボルはアップリンク伝送リソースである。第１のタイムスロット又はサブフレームは、７個のシンボルを占有する１つの第１フォーマットのアップリンク制御チャネルと、４つのシンボルを占有する１つの第２フォーマットのアップリンク制御チャネルと、１つのシンボルを占有する１つの第３フォーマットのアップリンク制御チャネルとを含む。第１フォーマットのアップリンク制御チャネル及び第２フォーマットのアップリンク制御チャネルの両方が長期間のＵＬ制御チャネルであり、第３フォーマットのアップリンク制御チャネルが短期間のＵＬ制御チャネルである。第１フォーマットのアップリンク制御チャネルは、ＵＥ１及びＵＥ２により用いられてよく、ＵＥ１及びＵＥ２は、周波数ダイバーシチを用いることにより異なる時間領域において異なる周波数領域リソースを用いる。第２フォーマットのアップリンク制御チャネルは、ＵＥ３及びＵＥ４により用いられてよく、ＵＥ３及びＵＥ４は、周波数ダイバーシチを用いることにより異なる時間領域において異なる周波数領域リソースを用いる。さらに、ＵＥ３及びＵＥ４により占有されるアップリンク伝送リソース、すなわち、第２フォーマットのアップリンク制御チャネルにより占有されるシンボルは、ＵＥ１及びＵＥ２により再使用されてよく、その結果、ＵＥ１及びＵＥ２のアップリンク制御チャネルは、１１個のシンボルを占有してよい。
【０１４６】
（ｂ）において、第１のタイムスロット又はサブフレームは１４個のシンボルを含み、最初の２つのシンボルはダウンリンク伝送リソース及びギャップ（Ｇａｐ）であり、残りの１２個のシンボルはアップリンク伝送リソースである。第１のタイムスロット又はサブフレームは、７個のシンボルを占有する１つの第１フォーマットのアップリンク制御チャネルと、それぞれ１つのシンボルを占有する５つの第２フォーマットのアップリンク制御チャネルとを含む。第１フォーマットのアップリンク制御チャネルは長期間のＵＬ制御チャネルであり、第２フォーマットのアップリンク制御チャネルは短期間のＵＬ制御チャネルである。第１フォーマットのアップリンク制御チャネルは、ＵＥ１及びＵＥ２により用いられてよく、ＵＥ１及びＵＥ２は、周波数ダイバーシチを用いることにより異なる時間領域において異なる周波数領域リソースを用いる。詳細については、図１３の（ｃ）、（ｄ）及び（ｅ）を参照されたい。
【０１４７】
（ｂ）において、最後の５つのシンボルが５つの短期間のＵＬ制御チャネルに対応しているが、本願の本実施形態は、これに限定されるものではない。別の実行可能な実装において、例えば、最後の５つのシンボルは、それぞれが２つのシンボルを占有する２つの短期間のＵＬ制御チャネルと、１つのシンボルを占有する１つの短期間のＵＬ制御チャネルとを含む。別の例として、最後の５つのシンボルは、２つのシンボルを占有する１つの短期間のＵＬ制御チャネルと、それぞれが１つのシンボルを占有する３つの短期間のＵＬ制御チャネルとを含み、配置順序は柔軟に設定されてよい。
【０１４８】
（ｃ）において、第１のタイムスロット又はサブフレームは１４個のシンボルを含み、最初の２つのシンボルはダウンリンク伝送リソース及びギャップ（Ｇａｐ）であり、残りの１２個のシンボルはアップリンク伝送リソースである。第１のタイムスロット又はサブフレームは、１１個のシンボルを占有する１つの第１フォーマットのアップリンク制御チャネルと、１つのシンボルを占有する１つの第２フォーマットのアップリンク制御チャネルとを含む。第１フォーマットのアップリンク制御チャネルは長期間のＵＬ制御チャネルであり、第２フォーマットのアップリンク制御チャネルは短期間のＵＬ制御チャネルである。第１フォーマットのアップリンク制御チャネルは、ＵＥ１及びＵＥ２により用いられてよく、ＵＥ１及びＵＥ２は、周波数ダイバーシチを用いることにより異なる時間領域において異なる周波数領域リソースを用いる。第１フォーマットのアップリンク制御チャネルにより占有されるシンボルは、第２フォーマットのアップリンク制御チャネルにより占有されるシンボルとは完全に異なる。
【０１４９】
（ｄ）において、第１のタイムスロット又はサブフレームは１４個のシンボルを含み、最初の２つのシンボルはダウンリンク伝送リソース及びギャップ（Ｇａｐ）であり、残りの１２個のシンボルはアップリンク伝送リソースである。第１のタイムスロット又はサブフレームは、１２個のシンボルを占有する１つの第１フォーマットのアップリンク制御チャネルと、１つのシンボルを占有する１つの第２フォーマットのアップリンク制御チャネルとを含む。第１フォーマットのアップリンク制御チャネルは長期間のＵＬ制御チャネルであり、第２フォーマットのアップリンク制御チャネルは短期間のＵＬ制御チャネルである。第１フォーマットのアップリンク制御チャネルは、ＵＥ１及びＵＥ２により用いられてよく、ＵＥ１及びＵＥ２は、周波数ダイバーシチを用いることにより異なる時間領域において異なる周波数領域リソースを用いる。第２フォーマットのアップリンク制御チャネルにより占有される１つのシンボルは、第１フォーマットのアップリンク制御チャネルにより占有される１２個のシンボルのうちの最後のシンボルである。言い換えれば、第１フォーマットのアップリンク制御チャネルにより占有されるシンボルは、第２フォーマットのアップリンク制御チャネルにより占有されるシンボルと部分的に同じである。
【０１５０】
図１５Ａの（ａ）、（ｂ）、（ｃ）及び（ｄ）では、異なるフォーマットにおけるアップリンク制御チャネルが同じ周波数リソースを占有するが、本願の本実施形態は、これに限定されるものではないことに留意されたい。別の実行可能な実装において、異なるフォーマットおけるアップリンク制御チャネルにより占有される周波数は、完全に異なる又は部分的に同じである。詳細については、図１５Ｂを参照されたい。
【０１５１】
図１５Ｂは、本願に係るアップリンク制御チャネル伝送方法の実施形態１４におけるアップリンク制御チャネルの異なるフォーマットについての別の概略図である。
【０１５２】
（ａ）、（ｂ）及び（ｃ）の比較から、（ａ）では、第１フォーマットのアップリンク制御チャネル（ＵＥ１及びＵＥ２により用いられる）、第２フォーマットのアップリンク制御チャネル（ＵＥ３及びＵＥ４により用いられる）、及び、第３フォーマットのアップリンク制御チャネルが、同じ周波数リソースを占有する、すなわち、すべてがシステム周波数帯の２つの端部を占有すること、（ｂ）では、第１フォーマットのアップリンク制御チャネル及び第２フォーマットのアップリンク制御チャネルが、同じ周波数リソースを占有する、すなわち、両方がシステム周波数帯の２つの端部を占有し、第３フォーマットのアップリンク制御チャネルが、第１フォーマットのアップリンク制御チャネル及び第２フォーマットのアップリンク制御チャネルにより占有されたこれらより多くの周波数リソースを占有すること、及び、（ｃ）では、第１フォーマットのアップリンク制御チャネル及び第２フォーマットのアップリンク制御チャネルが同じ周波数リソースを占有する、すなわち、両方がシステム周波数帯の２つの端部を占有し、第３フォーマットのアップリンク制御チャネルが、システム周波数帯のすべての周波数リソースを占有することが見い出される。
【０１５３】
同様に、（ｄ）、（ｅ）及び（ｆ）の比較から、（ｄ）では、第１フォーマットのアップリンク制御チャネル（ＵＥ１により用いられる）、第２フォーマットのアップリンク制御チャネル（ＵＥ２により用いられる）、及び、第３フォーマットのアップリンク制御チャネルが、同じ周波数リソースを占有する、すなわち、すべてが、システム周波数帯の２つの端部を占有すること、（ｂ）では、第１フォーマットのアップリンク制御チャネル及び第２フォーマットのアップリンク制御チャネルが同じ周波数リソースを占有する、すなわち、両方がシステム周波数帯の２つの端部を占有し、第３フォーマットのアップリンク制御チャネルが、第１フォーマットのアップリンク制御チャネル及び第２フォーマットのアップリンク制御チャネルにより占有されるこれらより多くの周波数リソースを占有すること、及び、（ｃ）において、第１フォーマットのアップリンク制御チャネル及び第２フォーマットのアップリンク制御チャネルが、同じ周波数リソースを占有する、すなわち、両方が、システム周波数帯の２つの端部を占有し、第３フォーマットのアップリンク制御チャネルが、システム周波数帯のすべての周波数リソースを占有することが見い出される。
【０１５４】
図１６は、本願に係るアップリンク制御チャネル伝送方法の実施形態１５におけるアップリンク制御チャネルの異なるフォーマットについての概略図である。
【０１５５】
（ａ）において、第１のタイムスロット又はサブフレームは７個のシンボルを含み、最初の３つのシンボルはダウンリンク伝送リソース及びギャップ（Ｇａｐ）であり、残りの４つのシンボルはアップリンク伝送リソースである。第１のタイムスロット又はサブフレームは、４つのシンボルを占有する１つの第１フォーマットのアップリンク制御チャネルを含み、第１フォーマットのアップリンク制御チャネルは、ＵＥ１及びＵＥ２により用いられてよく、ＵＥ１及びＵＥ２は、周波数ダイバーシチを用いることにより異なる時間領域において異なる周波数領域リソースを用いる。
【０１５６】
（ｂ）において、第１のタイムスロット又はサブフレームは７個のシンボルを含み、最初の３つのシンボルはダウンリンク伝送リソース及びギャップ（Ｇａｐ）であり、残りの４つのシンボルはアップリンク伝送リソースである。第１のタイムスロット又はサブフレームは、それぞれが１つのシンボルを占有する４つの短期間のＵＬ制御チャネルを含む。しかしながら、本願の本実施形態は、これに限定されるものではない。別の実行可能な実装において、例えば、４つのシンボルは、それぞれが２つのシンボルを占有する２つの短期間のＵＬ制御チャネルを含む。別の例として、４つのシンボルは、２つのシンボルを占有する１つの短期間のＵＬ制御チャネルと、それぞれが１つのシンボルを占有する２つの短期間のＵＬ制御チャネルとを含み、配置順序は柔軟に設定されてよい。
【０１５７】
（ｃ）において、第１のタイムスロット又はサブフレームは７個のシンボルを含み、最初の３つのシンボルはダウンリンク伝送リソース及びギャップ（Ｇａｐ）であり、残りの１つのシンボルはアップリンク伝送リソースである。第１のタイムスロット又はサブフレームは、３つのシンボルを占有する１つの第１フォーマットのアップリンク制御チャネルと、１つのシンボルを占有する１つの第２フォーマットのアップリンク制御チャネルとを含む。第１フォーマットのアップリンク制御チャネルは長期間のＵＬ制御チャネルであり、第２フォーマットのアップリンク制御チャネルは短期間のＵＬ制御チャネルである。第１フォーマットのアップリンク制御チャネルは、ＵＥ１及びＵＥ２により用いられてよく、ＵＥ１及びＵＥ２は、周波数ダイバーシチを用いることにより異なる時間領域において異なる周波数領域リソースを用いる。第１フォーマットのアップリンク制御チャネルにより占有されるシンボルは、第２フォーマットのアップリンク制御チャネルにより占有されるシンボルとは完全に異なる。
【０１５８】
（ｄ）において、第１のタイムスロット又はサブフレームは７個のシンボルを含み、最初の３つのシンボルはダウンリンク伝送リソース及びギャップ（Ｇａｐ）であり、残りの１つのシンボルはアップリンク伝送リソースである。第１のタイムスロット又はサブフレームは、４つのシンボルを占有する１つの第１フォーマットのアップリンク制御チャネルと、１つのシンボルを占有する１つの第２フォーマットのアップリンク制御チャネルとを含む。第１フォーマットのアップリンク制御チャネルは長期間のＵＬ制御チャネルであり、第２フォーマットのアップリンク制御チャネルは短期間のＵＬ制御チャネルである。第１フォーマットのアップリンク制御チャネルは、ＵＥ１及びＵＥ２により用いられてよく、ＵＥ１及びＵＥ２は、周波数ダイバーシチを用いることにより異なる時間領域において異なる周波数領域リソースを用いる。第２フォーマットのアップリンク制御チャネルにより占有される１つのシンボルは、第１フォーマットのアップリンク制御チャネルにより占有される４つのシンボルのうちの最後のシンボルである。言い換えれば、第１フォーマットのアップリンク制御チャネルにより占有されるシンボルは、第２フォーマットのアップリンク制御チャネルにより占有されるシンボルと部分的に同じである。
【０１５９】
図１７Ａは、本願に係るアップリンク制御チャネル伝送方法の実施形態１６におけるアップリンク制御チャネルの異なるフォーマットについての概略図である。
【０１６０】
（ａ）において、第１のタイムスロット又はサブフレームは７個のシンボルを含む。最初の２つのシンボルはダウンリンク伝送リソース及びギャップ（Ｇａｐ）であり、残りの５つのシンボルはアップリンク伝送リソースである。第１のタイムスロット又はサブフレームは、４つのシンボルを占有する１つの第１フォーマットのアップリンク制御チャネルと、１つのシンボルを占有する１つの第２フォーマットのアップリンク制御チャネルとを含む。第１フォーマットのアップリンク制御チャネルは長期間のＵＬ制御チャネルであり、第２フォーマットのアップリンク制御チャネルは短期間のＵＬ制御チャネルである。第１フォーマットのアップリンク制御チャネルは、ＵＥ１及びＵＥ２により用いられてよく、ＵＥ１及びＵＥ２は、周波数ダイバーシチを用いることにより異なる時間領域において異なる周波数領域リソースを用いる。第２フォーマットのアップリンク制御チャネルにより占有される１つのシンボルは、残りの５つのシンボルのうちの最後のシンボルである。言い換えれば、第１フォーマットのアップリンク制御チャネルにより占有されるシンボルは、第２フォーマットのアップリンク制御チャネルにより占有されるシンボルとは完全に異なる。
【０１６１】
（ｂ）において、第１のタイムスロット又はサブフレームは７個のシンボルを含み、最初の２つのシンボルはダウンリンク伝送リソース及びギャップ（Ｇａｐ）であり、残りの５つのシンボルはアップリンク伝送リソースである。第１のタイムスロット又はサブフレームは、５つのシンボルを占有する１つの第１フォーマットのアップリンク制御チャネルと、１つのシンボルを占有する１つの第２フォーマットのアップリンク制御チャネルとを含む。第１フォーマットのアップリンク制御チャネルは長期間のＵＬ制御チャネルであり、第２フォーマットのアップリンク制御チャネルは短期間のＵＬ制御チャネルである。第１フォーマットのアップリンク制御チャネルは、ＵＥ１及びＵＥ２により用いられてよく、ＵＥ１及びＵＥ２は、周波数ダイバーシチを用いることにより異なる時間領域において異なる周波数領域リソースを用いる。第２フォーマットのアップリンク制御チャネルにより占有される１つのシンボルは、第１フォーマットのアップリンク制御チャネルにより占有される５つのシンボルのうちのいずれか１つである。言い換えれば、第１フォーマットのアップリンク制御チャネルにより占有されるシンボルは、第２フォーマットのアップリンク制御チャネルにより占有されるシンボルと部分的に同じである。
【０１６２】
（ｃ）において、第１のタイムスロット又はサブフレームは７個のシンボルを含み、最初の２つのシンボルはダウンリンク伝送リソース及びギャップ（Ｇａｐ）であり、残りの５つのシンボルはアップリンク伝送リソースである。第１のタイムスロット又はサブフレームは、それぞれが１つのシンボルを占有する５つの短期間のＵＬ制御チャネルを含む。しかしながら、本願の本実施形態は、これに限定されるものではない。別の実行可能な実装において、例えば、５つのシンボルは、それぞれが２つのシンボルを占有する２つの短期間のＵＬ制御チャネルと、１つのシンボルを占有する１つの短期間のＵＬ制御チャネルとを含む。別の例として、５つのシンボルは、２つのシンボルを占有する１つの短期間のＵＬ制御チャネルと、それぞれが１つのシンボルを占有する３つの短期間のＵＬ制御チャネルとを含み、配置順序は柔軟に設定されてよい。
【０１６３】
図１７Ａの（ａ）及び（ｂ）では、異なるフォーマットにおけるアップリンク制御チャネルが同じ周波数リソースを占有するが、本願の本実施形態は、これに限定されるものではないことに留意されたい。別の実行可能な実装において、異なるフォーマットおけるアップリンク制御チャネルにより占有される周波数は、完全に異なる又は部分的に同じである。詳細については、図１７Ｂを参照されたい。
【０１６４】
図１７Ｂは、本願に係るアップリンク制御チャネル伝送方法の実施形態１６におけるアップリンク制御チャネルの異なるフォーマットについての別の概略図である。
【０１６５】
（ａ）、（ｂ）及び（ｃ）の比較から、（ａ）では、第１フォーマットのアップリンク制御チャネル（ＵＥ１及びＵＥ２により用いられる）及び第２フォーマットのアップリンク制御チャネル（すなわち、１つのシンボルを占有する短期間のＵＬ制御チャネル）が、同じ周波数リソースを占有する、すなわち、両方が、システム周波数帯の２つの端部を占有すること、（ｂ）では、第１フォーマットのアップリンク制御チャネルが、システム周波数帯の２つの端部において周波数リソースを占有し、第２フォーマットのアップリンク制御チャネルが、第１フォーマットのアップリンク制御チャネルにより占有されるこれらより多くの周波数リソースを占有すること、及び、（ｃ）では、第１フォーマットのアップリンク制御チャネルが、システム周波数帯の２つの端部において周波数リソースを占有し、第２フォーマットのアップリンク制御チャネルが、システム周波数帯のすべての周波数リソースを占有することが見い出される。
【０１６６】
図１８は、本願に係るアップリンク制御チャネル伝送装置の実施形態１についての模式的構造図である。本実施形態において提供されるアップリンク制御チャネル伝送装置は、アップリンク制御チャネル伝送装置に適用され、かつ、本願のいずれかの実施形態において提供される方法の段階を実施できる。具体的には、本実施形態において提供されるアップリンク制御チャネル伝送装置１００は、
少なくとも１つの第１フォーマットのアップリンク制御チャネル及び少なくとも１つの第２フォーマットのアップリンク制御チャネルを含む第１のタイムスロット又はサブフレームを生成するように構成される処理モジュール１１であって、第１フォーマットのアップリンク制御チャネルは、第１のタイムスロット又はサブフレームのＮ個のシンボルを占有し、第２フォーマットのアップリンク制御チャネルは、第１のタイムスロット又はサブフレームのＭ個のシンボルを占有し、ＮはＭより大きい又はＭに等しい、処理モジュール１１と、
第１のタイムスロット又はサブフレームを伝送するように構成される送受信モジュール１２と
を含む。
【０１６７】
本願の本実施形態において提供されるアップリンク制御チャネル伝送装置によれば、少なくとも１つの第１フォーマットのアップリンク制御チャネル及び少なくとも１つの第２フォーマットのアップリンク制御チャネルが第１のタイムスロット又はサブフレームに追加され、次に、少なくとも１つの第１フォーマットのアップリンク制御チャネル及び少なくとも１つの第２フォーマットのアップリンク制御チャネルを含む第１のタイムスロット又はサブフレームが伝送される。処理において、アップリンク制御チャネルについての２つのフォーマットだけがあり、その結果、アップリンクスケジューリングの複雑性が低減される。
【０１６８】
任意選択的に、本願の実施形態では、少なくとも１つの第１フォーマットのアップリンク制御チャネルのうちの少なくとも１つにより占有されるシンボルは、少なくとも１つの第２フォーマットのアップリンク制御チャネルのうちの少なくとも１つにより占有されるシンボルと完全に異なる又は部分的に同じである。
【０１６９】
任意選択的に、本願の実施形態では、少なくとも１つの第１フォーマットのアップリンク制御チャネルのうちの少なくとも１つは、第１の周波数リソースを占有し、少なくとも１つの第２フォーマットのアップリンク制御チャネルのうちの少なくとも１つは、第２の周波数リソースを占有し、第１の周波数リソースは、第２の周波数リソースと完全に異なる又は部分的に同じである。
【０１７０】
任意選択的に、本願の実施形態では、第１の周波数リソースは、システム周波数帯の２つの端部を占有し、第２の周波数リソースは、システム周波数帯のすべて又は一部を占有し、又は、第２の周波数は、第１の周波数リソース以外のシステム周波数帯の一部を占有する。
【０１７１】
任意選択的に、本願の実施形態では、第１のタイムスロット又はサブフレームは、少なくとも１つの第３フォーマットのアップリンク制御チャネルをさらに含み、少なくとも１つの第３フォーマットのアップリンク制御チャネルのうちの少なくとも１つにより占有されるシンボルは、少なくとも１つの第１フォーマットのアップリンク制御チャネルのうちの少なくとも１つにより占有されるシンボルと完全に異なる又は部分的に同じであり、又は、少なくとも１つの第３フォーマットのアップリンク制御チャネルのうちの少なくとも１つにより占有されるシンボルは、少なくとも１つの第２フォーマットのアップリンク制御チャネルのうちの少なくとも１つにより占有されるシンボルと完全に異なる又は部分的に同じである。
【０１７２】
任意選択的に、本願の実施形態では、少なくとも１つの第１フォーマットのアップリンク制御チャネルのうちの少なくとも１つは、第１の周波数リソースを占有し、少なくとも１つの第２フォーマットのアップリンク制御チャネルのうちの少なくとも１つは、第２の周波数リソースを占有し、少なくとも１つの第３フォーマットのアップリンク制御チャネルフォーマットのうちの少なくとも１つの第３フォーマットのアップリンク制御チャネルは、第３の周波数リソースを占有し、第１の周波数リソースは、第２の周波数リソースと完全に異なる又は部分的に同じであり、
第３の周波数リソースは、第１の周波数リソースと完全に異なる又は部分的に同じであり、又は、第３の周波数リソースは、第２の周波数リソースと完全に異なる又は部分的に同じである。
【０１７３】
任意選択的に、本願の実施形態では、第３の周波数は、システム周波数帯のすべて又は一部を占有し、又は、第３の周波数は、第１の周波数リソース及び第２の周波数リソース以外のシステム周波数帯の一部を占有する。
【０１７４】
任意選択的に、本願の実施形態では、第１フォーマットのアップリンク制御チャネル、第２フォーマットのアップリンク制御チャネル又は第３フォーマットのアップリンク制御チャネルは、周波数リソースの少なくとも２つの部分を占有し、周波数リソースの少なくとも２つの部分のうち、少なくとも２つは異なる。
【０１７５】
任意選択的に、本願の実施形態では、少なくとも１つの第１フォーマットのアップリンク制御チャネルは、具体的には、１つの第１フォーマットのアップリンク制御チャネルであり、少なくとも１つの第２フォーマットのアップリンク制御チャネルは、具体的には、１つの第２フォーマットのアップリンク制御チャネルであり、第１フォーマットのアップリンク制御チャネルは、第１のタイムスロット又はサブフレームの７個のシンボルを占有し、第２フォーマットのアップリンク制御チャネルは、第１のタイムスロット又はサブフレームの４つのシンボルを占有し、７個のシンボルは、第１のタイムスロット又はサブフレームにおいて４つのシンボルと完全に異なる又は部分的に同じであり、又は、
第１フォーマットのアップリンク制御チャネルは、第１のタイムスロット又はサブフレームの１０個のシンボルを占有し、第２フォーマットのアップリンク制御チャネルは、第１のタイムスロット又はサブフレームの１つのシンボルを占有し、１０個のシンボルは、第１のタイムスロット又はサブフレームにおいて１つのシンボルと完全に異なる又は部分的に同じであり、又は、
第１フォーマットのアップリンク制御チャネルは、第１のタイムスロット又はサブフレームの１１個のシンボルを占有し、第２フォーマットのアップリンク制御チャネルは、第１のタイムスロット又はサブフレームの１つのシンボルを占有し、１１個のシンボルは、第１のタイムスロット又はサブフレームにおいて１つのシンボルと完全に異なる又は部分的に同じであり、又は、
第１フォーマットのアップリンク制御チャネルは、第１のタイムスロット又はサブフレームの１３個のシンボルを占有し、第２フォーマットのアップリンク制御チャネルは、第１のタイムスロット又はサブフレームの１つのシンボルを占有し、１３個のシンボルは、第１のタイムスロット又はサブフレームにおいて１つのシンボルと完全に異なる又は部分的に同じであり、又は、
第１フォーマットのアップリンク制御チャネルは、第１のタイムスロット又はサブフレームの６個のシンボルを占有し、第２フォーマットのアップリンク制御チャネルは、第１のタイムスロット又はサブフレームの１つのシンボルを占有し、６個のシンボルは、第１のタイムスロット又はサブフレームにおいて１つのシンボルと完全に異なる又は部分的に同じであり、又は、
第１フォーマットのアップリンク制御チャネルは、第１のタイムスロット又はサブフレームの４つのシンボルを占有し、第２フォーマットのアップリンク制御チャネルは、第１のタイムスロット又はサブフレームの１つのシンボルを占有し、４つのシンボルは、第１のタイムスロット又はサブフレームにおいて１つのシンボルと完全に異なる又は部分的に同じであり、又は、
第１フォーマットのアップリンク制御チャネルは、第１のタイムスロット又はサブフレームの３つのシンボルを占有し、第２フォーマットのアップリンク制御チャネルは、第１のタイムスロット又はサブフレームの１つのシンボルを占有し、３つのシンボルは、第１のタイムスロット又はサブフレームにおいて１つのシンボルと完全に異なる又は部分的に同じである。
【０１７６】
任意選択的に、本願の実施形態では、少なくとも１つの第１フォーマットのアップリンク制御チャネルは、具体的には、１つの第１フォーマットのアップリンク制御チャネルであり、少なくとも１つの第２フォーマットのアップリンク制御チャネルは、具体的には、４つの第２フォーマットのアップリンク制御チャネルであり、第１フォーマットのアップリンク制御チャネルは、第１のタイムスロット又はサブフレームの７個のシンボルを占有し、４つの第２フォーマットのアップリンク制御チャネルのそれぞれは、第１のタイムスロット又はサブフレームの１つのシンボルを占有し、７個のシンボルは、第１のタイムスロット又はサブフレームにおいて１つのシンボルと完全に異なる又は部分的に同じであり、又は、
少なくとも１つの第１フォーマットのアップリンク制御チャネルは、具体的には、１つの第１フォーマットのアップリンク制御チャネルであり、少なくとも１つの第２フォーマットのアップリンク制御チャネルは、具体的には、５つの第２フォーマットのアップリンク制御チャネルであり、第１フォーマットのアップリンク制御チャネルは、第１のタイムスロット又はサブフレームの７個のシンボルを占有し、５つの第２フォーマットのアップリンク制御チャネルのそれぞれは、第１のタイムスロット又はサブフレームの１つのシンボルを占有し、７個のシンボルは、第１のタイムスロット又はサブフレームにおいて１つのシンボルと完全に異なる又は部分的に同じである。
【０１７７】
任意選択的に、本願の実施形態では、少なくとも１つの第１フォーマットのアップリンク制御チャネルは、具体的には、１つの第１フォーマットのアップリンク制御チャネルであり、少なくとも１つの第２フォーマットのアップリンク制御チャネルは、具体的には、１つの第２フォーマットのアップリンク制御チャネルであり、少なくとも１つの第３フォーマットのアップリンク制御チャネルは、具体的には、１つの第３フォーマットのアップリンク制御チャネルであり、第１フォーマットのアップリンク制御チャネルは、第１のタイムスロット又はサブフレームの７個のシンボルを占有し、第２フォーマットのアップリンク制御チャネルは、第１のタイムスロット又はサブフレームの４つのシンボルを占有し、第３フォーマットのアップリンク制御チャネルは、第１のタイムスロット又はサブフレームの１つのシンボルを占有し、７個のシンボル、４つのシンボル及び１つのシンボルは、第１のタイムスロット又はサブフレームにおいて完全に異なる又は部分的に同じである。
【０１７８】
図１９は、本願に係るアップリンク制御チャネル伝送装置の実施形態２についての模式的構造図である。本実施形態において提供されるアップリンク制御チャネル伝送装置２００は、プロセッサ２１、メモリ２２、通信インタフェース２３及びシステムバス２４を含む。メモリ２２及び通信インタフェース２３は、相互の通信を達成するためにシステムバス２４を用いることによりプロセッサ２１に接続される。メモリ２１は、コンピュータ実行可能命令を格納するように構成される。通信インタフェース２３は、別のデバイスと通信するように構成される。プロセッサ２１は、コンピュータ実行可能命令を実行するように構成され、その結果、アップリンク制御チャネル伝送装置は、アップリンク制御チャネル伝送装置に適用される方法のすべての段階を実行する。
【０１７９】
図１９におけるシステムバスは、ペリフェラルコンポーネントインターコネクト（ｐｅｒｉｐｈｅｒａｌ  ｃｏｍｐｏｎｅｎｔ  ｉｎｔｅｒｃｏｎｎｅｃｔ、ＰＣＩ）バス、又は、拡張産業標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、ＥＩＳＡ）バスなどであってよい。システムバスは、アドレスバス、データバス及び制御バスなどに分類されてよい。表現を容易にするために、１つの太線のみが、図中のバスを表現するために用いられているが、これは、１つのバスのみ、又は、１種類のバスのみがあることを意味するわけではない。通信インタフェースは、データベースアクセス装置と別のデバイス（例えば、クライアント、読み出し／書き込みデータベース又は読み出し専用データベース）との間の通信を実現するように構成される。メモリは、ランダムアクセスメモリ（ｒａｎｄｏｍ  ａｃｃｅｓｓ  ｍｅｍｏｒｙ、ＲＡＭ）を含んでよく、又は、不揮発性メモリ（ｎｏｎ‐ｖｏｌａｔｉｌｅ  ｍｅｍｏｒｙ）、例えば、少なくとも１つの磁気ディスクストレージをさらに含んでもよい。
【０１８０】
プロセッサは、中央処理装置（Ｃｅｎｔｒａｌ  Ｐｒｏｃｅｓｓｉｎｇ  Ｕｎｉｔ、ＣＰＵ）及びネットワークプロセッサ（Ｎｅｔｗｏｒｋ  Ｐｒｏｃｅｓｓｏｒ、ＮＰ）などを含む汎用プロセッサであってよい、又は、デジタル信号プロセッサ（Ｄｉｇｉｔａｌ  Ｓｉｇｎａｌ  Ｐｒｏｃｅｓｓｉｎｇ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）又は別のプログラム可能な論理デバイス、ディスクリートなゲート又はトランジスタ論理デバイス若しくはディスクリートなハードウェアコンポーネントであってよい。
【０１８１】
当業者であれば、方法の実施形態の段階のすべて又は一部が、関連するハードウェアに命令するプログラムにより実装され得ることを理解し得る。プログラムは、コンピュータ可読記憶媒体に格納され得る。プログラムが実行する場合、方法の実施形態の段階が実行される。前述の記憶媒体は、プログラムコード、例えば、ＲＯＭ、ＲＡＭ、磁気ディスク又は光ディスクを格納できる様々な媒体を含む。
【図１Ａ】
2020503807.tif 000003
【図１Ｂ】
2020503807.tif 000004
【図２】
2020503807.tif 000005
【図３Ａ】
2020503807.tif 000006
【図３Ｂ】
2020503807.tif 000007
【図４Ａ】
2020503807.tif 000008
【図４Ｂ】
2020503807.tif 000009
【図５Ａ】
2020503807.tif 000010
【図５Ｂ】
2020503807.tif 000011
【図６Ａ】
2020503807.tif 000012
【図６Ｂ】
2020503807.tif 000013
【図７Ａ】
2020503807.tif 000014
【図７Ｂ】
2020503807.tif 000015
【図８Ａ】
2020503807.tif 000016
【図８Ｂ】
2020503807.tif 000017
【図９Ａ】
2020503807.tif 000018
【図９Ｂ】
2020503807.tif 000019
【図１０Ａ】
2020503807.tif 000020
【図１０Ｂ】
2020503807.tif 000021
【図１１Ａ】
2020503807.tif 000022
【図１１Ｂ】
2020503807.tif 000023
【図１２Ａ】
2020503807.tif 000024
【図１２Ｂ】
2020503807.tif 000025
【図１３】
2020503807.tif 000026
【図１４】
2020503807.tif 000027
【図１５Ａ】
2020503807.tif 000028
【図１５Ｂ】
2020503807.tif 000029
【図１６】
2020503807.tif 000030
【図１７Ａ】
2020503807.tif 000031
【図１７Ｂ】
2020503807.tif 000032
【図１８】
2020503807.tif 000033
【図１９】
2020503807.tif 000034
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
アップリンク制御チャネル伝送方法であって、
少なくとも１つの第１フォーマットのアップリンク制御チャネル及び少なくとも１つの第２フォーマットのアップリンク制御チャネルを生成する段階であって、前記第１フォーマットのアップリンク制御チャネルは、第１のタイムスロット又はサブフレームのＮ個のシンボルを占有し、前記第２フォーマットのアップリンク制御チャネルは、前記第１のタイムスロット又はサブフレームのＭ個のシンボルを占有し、ＮはＭより大きい又はＭに等しい、段階と、
前記第１のタイムスロット又はサブフレームに含まれる前記少なくとも１つの第１フォーマットのアップリンク制御チャネル及び前記少なくとも１つの第２フォーマットのアップリンク制御チャネルをネットワーク側デバイスに伝送する段階と
を備える方法。
【請求項２】
前記少なくとも１つの第１フォーマットのアップリンク制御チャネルのうちの少なくとも１つにより占有されるシンボルは、前記少なくとも１つの第２フォーマットのアップリンク制御チャネルのうちの少なくとも１つにより占有されるシンボルと完全に異なる又は部分的に同じである、請求項１に記載の方法。
【請求項３】
前記少なくとも１つの第１フォーマットのアップリンク制御チャネルのうちの少なくとも１つは、第１の周波数リソースを占有し、前記少なくとも１つの第２フォーマットのアップリンク制御チャネルのうちの少なくとも１つは、第２の周波数リソースを占有し、前記第１の周波数リソースは、前記第２の周波数リソースと完全に異なる又は部分的に同じである、請求項１に記載の方法。
【請求項４】
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、１つの第２フォーマットのアップリンク制御チャネルであり、
前記第１フォーマットのアップリンク制御チャネルは、前記第１のタイムスロット又はサブフレームの７個のシンボルを占有し、前記第２フォーマットのアップリンク制御チャネルは、前記第１のタイムスロット又はサブフレームの４つのシンボルを占有し、前記７個のシンボルは、前記第１のタイムスロット又はサブフレームにおいて前記４つのシンボルと完全に異なる又は部分的に同じであり、又は、
前記第１フォーマットのアップリンク制御チャネルは、前記第１のタイムスロット又はサブフレームの１０個のシンボルを占有し、前記第２フォーマットのアップリンク制御チャネルは、前記第１のタイムスロット又はサブフレームの１つのシンボルを占有し、前記１０個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの１１個のシンボルを占有し、前記第２フォーマットのアップリンク制御チャネルは、前記第１のタイムスロット又はサブフレームの１つのシンボルを占有し、前記１１個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの１３個のシンボルを占有し、前記第２フォーマットのアップリンク制御チャネルは、前記第１のタイムスロット又はサブフレームの１つのシンボルを占有し、前記１３個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの６個のシンボルを占有し、前記第２フォーマットのアップリンク制御チャネルは、前記第１のタイムスロット又はサブフレームの１つのシンボルを占有し、前記６個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの４つのシンボルを占有し、前記第２フォーマットのアップリンク制御チャネルは、前記第１のタイムスロット又はサブフレームの１つのシンボルを占有し、前記４つのシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの３つのシンボルを占有し、前記第２フォーマットのアップリンク制御チャネルは、前記第１のタイムスロット又はサブフレームの１つのシンボルを占有し、前記３つのシンボルは、前記第１のタイムスロット又はサブフレームにおいて前記１つのシンボルと完全に異なる又は部分的に同じである、請求項１から３のいずれか一項に記載の方法。
【請求項５】
前記第１の周波数リソースは、システム周波数帯の２つの端部を占有し、前記第２の周波数リソースは、前記システム周波数帯のすべて又は一部を占有し、又は、前記第２の周波数リソースは、前記第１の周波数リソース以外の前記システム周波数帯の一部を占有する、請求項３に記載の方法。
【請求項６】
前記第１のタイムスロット又はサブフレームは、少なくとも１つの第３フォーマットのアップリンク制御チャネルをさらに有し、
前記少なくとも１つの第３フォーマットのアップリンク制御チャネルのうちの少なくとも１つにより占有されるシンボルは、前記少なくとも１つの第１フォーマットのアップリンク制御チャネルのうちの前記少なくとも１つにより占有される前記シンボルと完全に異なる又は部分的に同じであり、又は、前記少なくとも１つの第３フォーマットのアップリンク制御チャネルのうちの少なくとも１つにより占有されるシンボルは、前記少なくとも１つの第２フォーマットのアップリンク制御チャネルのうちの前記少なくとも１つにより占有される前記シンボルと完全に異なる又は部分的に同じである、請求項１から５のいずれか一項に記載の方法。
【請求項７】
前記少なくとも１つの第１フォーマットのアップリンク制御チャネルのうちの前記少なくとも１つは、第１の周波数リソースを占有し、前記少なくとも１つの第２フォーマットのアップリンク制御チャネルのうちの前記少なくとも１つは、第２の周波数リソースを占有し、前記少なくとも１つの第３フォーマットのアップリンク制御チャネルのうちの前記少なくとも１つは、第３の周波数リソースを占有し、前記第１の周波数リソースは、前記第２の周波数リソースと完全に異なる又は部分的に同じであり、
前記第３の周波数リソースは、前記第１の周波数リソースと完全に異なる又は部分的に同じであり、又は、前記第３の周波数リソースは、前記第２の周波数リソースと完全に異なる又は部分的に同じである、請求項６に記載の方法。
【請求項８】
前記第３の周波数リソースは、システム周波数帯のすべて又は一部を占有し、又は、前記第３の周波数リソースは、前記第１の周波数リソース及び前記第２の周波数リソース以外の前記システム周波数帯の一部を占有する、請求項７に記載の方法。
【請求項９】
前記第１フォーマットのアップリンク制御チャネル、前記第２フォーマットのアップリンク制御チャネル又は前記第３フォーマットのアップリンク制御チャネルは、周波数リソースの少なくとも２つの部分を占有し、周波数リソースの前記少なくとも２つの部分のうち、少なくとも２つは異なる、請求項６から８のいずれか一項に記載の方法。
【請求項１０】
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、４つの第２フォーマットのアップリンク制御チャネルであり、前記第１フォーマットのアップリンク制御チャネルは、前記第１のタイムスロット又はサブフレームの７個のシンボルを占有し、前記４つの第２フォーマットのアップリンク制御チャネルのそれぞれは、前記第１のタイムスロット又はサブフレームの１つのシンボルを占有し、前記７個のシンボルは、前記第１のタイムスロット又はサブフレームにおいて前記１つのシンボルと完全に異なる又は部分的に同じであり、又は、
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、５つの第２フォーマットのアップリンク制御チャネルであり、前記第１フォーマットのアップリンク制御チャネルは、前記第１のタイムスロット又はサブフレームの７個のシンボルを占有し、前記５つの第２フォーマットのアップリンク制御チャネルのそれぞれは、前記第１のタイムスロット又はサブフレームの１つのシンボルを占有し、前記７個のシンボルは、前記第１のタイムスロット又はサブフレームにおいて前記１つのシンボルと完全に異なる又は部分的に同じである、請求項１又は２に記載の方法。
【請求項１１】
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、１つの第２フォーマットのアップリンク制御チャネルであり、前記少なくとも１つの第３フォーマットのアップリンク制御チャネルは、具体的には、１つの第３フォーマットのアップリンク制御チャネルであり、前記第１フォーマットのアップリンク制御チャネルは、前記第１のタイムスロット又はサブフレームの７個のシンボルを占有し、前記第２フォーマットのアップリンク制御チャネルは、前記第１のタイムスロット又はサブフレームの４つのシンボルを占有し、前記第３フォーマットのアップリンク制御チャネルは、前記第１のタイムスロット又はサブフレームの１つのシンボルを占有し、前記７個のシンボル、前記４つのシンボル及び前記１つのシンボルは、前記第１のタイムスロット又はサブフレームにおいて完全に異なる又は部分的に同じである、請求項５に記載の方法。
【請求項１２】
アップリンク制御チャネル伝送装置であって、
少なくとも１つの第１フォーマットのアップリンク制御チャネル及び少なくとも１つの第２フォーマットのアップリンク制御チャネルを生成するように構成される処理モジュールであって、前記第１フォーマットのアップリンク制御チャネルは、第１のタイムスロット又はサブフレームのＮ個のシンボルを占有し、前記第２フォーマットのアップリンク制御チャネルは、前記第１のタイムスロット又はサブフレームのＭ個のシンボルを占有し、ＮはＭより大きい又はＭに等しい、処理モジュールと、
前記第１のタイムスロット又はサブフレームに含まれる前記少なくとも１つの第１フォーマットのアップリンク制御チャネル及び前記少なくとも１つの第２フォーマットのアップリンク制御チャネルをネットワーク側デバイスに伝送するように構成される送受信モジュールと
を備える装置。
【請求項１３】
前記少なくとも１つの第１フォーマットのアップリンク制御チャネルのうちの少なくとも１つにより占有されるシンボルは、前記少なくとも１つの第２フォーマットのアップリンク制御チャネルのうちの少なくとも１つにより占有されるシンボルと完全に異なる又は部分的に同じである、請求項１２に記載の装置。
【請求項１４】
前記少なくとも１つの第１フォーマットのアップリンク制御チャネルのうちの少なくとも１つは、第１の周波数リソースを占有し、前記少なくとも１つの第２フォーマットのアップリンク制御チャネルのうちの少なくとも１つは、第２の周波数リソースを占有し、前記第１の周波数リソースは、前記第２の周波数リソースと完全に異なる又は部分的に同じである、請求項１２に記載の装置。
【請求項１５】
前記第１のタイムスロット又はサブフレームは、少なくとも１つの第３フォーマットのアップリンク制御チャネルをさらに有し、
前記少なくとも１つの第３フォーマットのアップリンク制御チャネルのうちの少なくとも１つにより占有されるシンボルは、前記少なくとも１つの第１フォーマットのアップリンク制御チャネルのうちの前記少なくとも１つにより占有される前記シンボルと完全に異なる又は部分的に同じであり、又は、前記少なくとも１つの第３フォーマットのアップリンク制御チャネルのうちの少なくとも１つにより占有されるシンボルは、前記少なくとも１つの第２フォーマットのアップリンク制御チャネルのうちの前記少なくとも１つにより占有される前記シンボルと完全に異なる又は部分的に同じである、請求項１２から１４のいずれか一項に記載の装置。
【請求項１６】
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、１つの第２フォーマットのアップリンク制御チャネルであり、
前記第１フォーマットのアップリンク制御チャネルは、前記第１のタイムスロット又はサブフレームの７個のシンボルを占有し、前記第２フォーマットのアップリンク制御チャネルは、前記第１のタイムスロット又はサブフレームの４つのシンボルを占有し、前記７個のシンボルは、前記第１のタイムスロット又はサブフレームにおいて前記４つのシンボルと完全に異なる又は部分的に同じであり、又は、
前記第１フォーマットのアップリンク制御チャネルは、前記第１のタイムスロット又はサブフレームの１０個のシンボルを占有し、前記第２フォーマットのアップリンク制御チャネルは、前記第１のタイムスロット又はサブフレームの１つのシンボルを占有し、前記１０個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの１１個のシンボルを占有し、前記第２フォーマットのアップリンク制御チャネルは、前記第１のタイムスロット又はサブフレームの１つのシンボルを占有し、前記１１個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの１３個のシンボルを占有し、前記第２フォーマットのアップリンク制御チャネルは、前記第１のタイムスロット又はサブフレームの１つのシンボルを占有し、前記１３個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの６個のシンボルを占有し、前記第２フォーマットのアップリンク制御チャネルは、前記第１のタイムスロット又はサブフレームの１つのシンボルを占有し、前記６個のシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの４つのシンボルを占有し、前記第２フォーマットのアップリンク制御チャネルは、前記第１のタイムスロット又はサブフレームの１つのシンボルを占有し、前記４つのシンボルは、前記第１のタイムスロット又はサブフレームにおいて前記１つのシンボルと完全に異なる又は部分的に同じであり、又は、
前記第１フォーマットのアップリンク制御チャネルは、前記第１のタイムスロット又はサブフレームの３つのシンボルを占有し、前記第２フォーマットのアップリンク制御チャネルは、前記第１のタイムスロット又はサブフレームの１つのシンボルを占有し、前記３つのシンボルは、前記第１のタイムスロット又はサブフレームにおいて前記１つのシンボルと完全に異なる又は部分的に同じである、請求項１２又は１３に記載の装置。
【請求項１７】
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、４つの第２フォーマットのアップリンク制御チャネルであり、前記第１フォーマットのアップリンク制御チャネルは、前記第１のタイムスロット又はサブフレームの７個のシンボルを占有し、前記４つの第２フォーマットのアップリンク制御チャネルのそれぞれは、前記第１のタイムスロット又はサブフレームの１つのシンボルを占有し、前記７個のシンボルは、前記第１のタイムスロット又はサブフレームにおいて前記１つのシンボルと完全に異なる又は部分的に同じであり、又は、
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、５つの第２フォーマットのアップリンク制御チャネルであり、前記第１フォーマットのアップリンク制御チャネルは、前記第１のタイムスロット又はサブフレームの７個のシンボルを占有し、前記５つの第２フォーマットのアップリンク制御チャネルのそれぞれは、前記第１のタイムスロット又はサブフレームの１つのシンボルを占有し、前記７個のシンボルは、前記第１のタイムスロット又はサブフレームにおいて前記１つのシンボルと完全に異なる又は部分的に同じである、請求項１５に記載の装置。
【請求項１８】
前記少なくとも１つの第１フォーマットのアップリンク制御チャネルは、具体的には、１つの第１フォーマットのアップリンク制御チャネルであり、前記少なくとも１つの第２フォーマットのアップリンク制御チャネルは、具体的には、１つの第２フォーマットのアップリンク制御チャネルであり、前記少なくとも１つの第３フォーマットのアップリンク制御チャネルは、具体的には、１つの第３フォーマットのアップリンク制御チャネルであり、前記第１フォーマットのアップリンク制御チャネルは、前記第１のタイムスロット又はサブフレームの７個のシンボルを占有し、前記第２フォーマットのアップリンク制御チャネルは、前記第１のタイムスロット又はサブフレームの４つのシンボルを占有し、前記第３フォーマットのアップリンク制御チャネルは、前記第１のタイムスロット又はサブフレームの１つのシンボルを占有し、前記７個のシンボル、前記４つのシンボル及び前記１つのシンボルは、前記第１のタイムスロット又はサブフレームにおいて完全に異なる又は部分的に同じである、請求項１５に記載の装置。
【請求項１９】
アップリンク制御チャネル伝送装置であって、プロセッサと、メモリと、通信インタフェースと、システムバスとを備え、前記メモリ及び前記通信インタフェースは、相互の通信を達成するために前記システムバスを用いることにより前記プロセッサに接続され、前記メモリは、コンピュータ実行可能命令を格納するように構成され、前記通信インタフェースは、別のデバイスと通信するように構成され、前記プロセッサは、前記コンピュータ実行可能命令を実行するように構成され、その結果、前記アップリンク制御チャネル伝送装置は、請求項１から１１のいずれか一項に記載の方法を実行する、アップリンク制御チャネル伝送装置。
【請求項２０】
アップリンク制御チャネル受信方法であって、
少なくとも１つの第１フォーマットのアップリンク制御チャネル及び少なくとも１つの第２フォーマットのアップリンク制御チャネルを受信する段階であって、前記少なくとも１つの第１フォーマットのアップリンク制御チャネル及び前記少なくとも１つの第２フォーマットのアップリンク制御チャネルは、第１のタイムスロット又はサブフレームに含まれ、前記第１フォーマットのアップリンク制御チャネルは、前記第１のタイムスロット又はサブフレームのＮ個のシンボルを占有し、前記第２フォーマットのアップリンク制御チャネルは、前記第１のタイムスロット又はサブフレームのＭ個のシンボルを占有し、ＮはＭより大きい又はＭに等しい、段階を備える方法。
【請求項２１】
前記少なくとも１つの第１フォーマットのアップリンク制御チャネルのうちの少なくとも１つ、及び、前記少なくとも１つの第２フォーマットのアップリンク制御チャネルのうちの少なくとも１つは、同じ端末デバイスにより送信される、請求項２０に記載の方法。
【請求項２２】
前記少なくとも１つの第１フォーマットのアップリンク制御チャネルのうちの少なくとも１つ、及び、前記少なくとも１つの第２フォーマットのアップリンク制御チャネルのうちの少なくとも１つは、異なる端末デバイスにより送信され、
前記少なくとも１つの第１フォーマットのアップリンク制御チャネルのうちの少なくとも１つにより占有されるシンボルは、前記少なくとも１つの第２フォーマットのアップリンク制御チャネルのうちの少なくとも１つにより占有されるシンボルと完全に異なる又は部分的に同じである、請求項２０に記載の方法。
【請求項２３】
アップリンク制御チャネル受信装置であって、
少なくとも１つの第１フォーマットのアップリンク制御チャネル及び少なくとも１つの第２フォーマットのアップリンク制御チャネルを受信するように構成される受信モジュールであって、前記少なくとも１つの第１フォーマットのアップリンク制御チャネル及び前記少なくとも１つの第２フォーマットのアップリンク制御チャネルは、第１のタイムスロット又はサブフレームに含まれ、前記第１フォーマットのアップリンク制御チャネルは、前記第１のタイムスロット又はサブフレームのＮ個のシンボルを占有し、前記第２フォーマットのアップリンク制御チャネルは、前記第１のタイムスロット又はサブフレームのＭ個のシンボルを占有し、ＮはＭより大きい又はＭに等しい、受信モジュールを備える装置。
【請求項２４】
前記少なくとも１つの第１フォーマットのアップリンク制御チャネルのうちの少なくとも１つ、及び、前記少なくとも１つの第２フォーマットのアップリンク制御チャネルのうちの少なくとも１つは、同じ端末デバイスにより送信される、請求項２３に記載の装置。
【請求項２５】
前記少なくとも１つの第１フォーマットのアップリンク制御チャネルのうちの少なくとも１つ、及び、前記少なくとも１つの第２フォーマットのアップリンク制御チャネルのうちの少なくとも１つは、異なる端末デバイスにより送信され、
前記少なくとも１つの第１フォーマットのアップリンク制御チャネルのうちの少なくとも１つにより占有されるシンボルは、前記少なくとも１つの第２フォーマットのアップリンク制御チャネルのうちの少なくとも１つにより占有されるシンボルと完全に異なる又は部分的に同じである、請求項２３に記載の装置。
【請求項２６】
コンピュータに、請求項１から１１のいずれか一項に記載の方法を実行させるためのプログラム。
【請求項２７】
コンピュータに、請求項２０から２２のいずれか一項に記載の方法を実行させるためのプログラム。
【請求項２８】
アップリンク制御チャネル受信装置であって、プロセッサと、メモリと、通信インタフェースと、システムバスとを備え、前記メモリ及び前記通信インタフェースは、相互の通信を達成するために前記システムバスを用いることにより前記プロセッサに接続され、前記メモリは、コンピュータ実行可能命令を格納するように構成され、前記通信インタフェースは、別のデバイスと通信するように構成され、前記プロセッサは、前記コンピュータ実行可能命令を実行するように構成され、その結果、前記アップリンク制御チャネル受信装置は、請求項２０から２２のいずれか一項に記載の方法のすべての段階を実行する、アップリンク制御チャネル受信装置。
【手続補正２】
【補正対象書類名】明細書
【補正対象項目名】０１４３
【補正方法】変更
【補正の内容】
【０１４３】
図１４の（ｂ）、（ｃ）及び（ｄ）では、異なるフォーマットにおけるアップリンク制御チャネルが同じ周波数リソースを占有するが、本願の本実施形態は、これに限定されるものではないことに留意されたい。別の実行可能な実装において、異なるフォーマットおけるアップリンク制御チャネルにより占有される周波数は、完全に異なる又は部分的に同じである。
【手続補正３】
【補正対象書類名】明細書
【補正対象項目名】０１７８
【補正方法】変更
【補正の内容】
【０１７８】
図１９は、本願に係るアップリンク制御チャネル伝送装置の実施形態２についての模式的構造図である。本実施形態において提供されるアップリンク制御チャネル伝送装置２００は、プロセッサ３１、メモリ３２、通信インタフェース３３及びシステムバス３４を含む。メモリ３２及び通信インタフェース３３は、相互の通信を達成するためにシステムバス３４を用いることによりプロセッサ３１に接続される。メモリ３２は、コンピュータ実行可能命令を格納するように構成される。通信インタフェース３３は、別のデバイスと通信するように構成される。プロセッサ３１は、コンピュータ実行可能命令を実行するように構成され、その結果、アップリンク制御チャネル伝送装置は、アップリンク制御チャネル伝送装置に適用される方法のすべての段階を実行する。
【手続補正４】
【補正対象書類名】図面
【補正対象項目名】図１３
【補正方法】変更
【補正の内容】
【図１３】
2020503807.tif 000035
【国際調査報告】
2020503807.tif 000036
2020503807.tif 000037
2020503807.tif 000038
2020503807.tif 000039